(57)【要約】【課題】各光学機能面からの光学機能が連続して発現される角度範囲を高い自由度で調整し、且つ、隣り合う２つの凸部の間に異物が堆積することを抑制可能なパネル部材を提供する。【解決手段】パネル部材１０は、積層された第１部分３０と第２部分４０との間に一軸方向ｄ１に並べて形成された複数のレンズ面２１と、第２部分の第１部分３０とは反対側の面に対向して位置する第１光学機能面１１と、一軸方向に配列され、複数のレンズ面と第１光学機能面との間に位置する複数の第２光学機能面１２と、を備える。各第２光学機能面は、第１光学機能面に対して傾斜している。レンズ面は、或る方向から入射した光Ｌ２２を第１光学機能面に導き、別の方向から入射した光Ｌ２３を第２光学機能面に導く。第１部分のレンズ面を形成した面とは反対側の面３０ａに、パネル部材のパネル面に対して傾斜した傾斜面３１が形成されている。【選択図】図１
2015197455.tif 000002
【特許請求の範囲】
【請求項１】
第１部分と、
前記第１部分に積層され、前記第１部分との間に一軸方向に並べられた複数のレンズ面を形成する第２部分と、
前記第２部分を基準として前記第１部分とは反対側に設けられ、前記第２部分に対向して位置する第１光学機能面と、
前記一軸方向に配列され、前記複数のレンズ面と前記第１光学機能面との間に位置している複数の第２光学機能面と、を備える、パネル状のパネル部材であって、
各第２光学機能面は、前記第１光学機能面に対して傾斜し、
前記レンズ面は、或る方向から入射した光を前記第１光学機能面に導き、前記或る方向とは異なる別の方向から入射した光を前記第２光学機能面に導き、
前記第１部分の前記レンズ面を形成した面とは反対側の面に、前記パネル部材のパネル面に対して傾斜した傾斜面が形成されている、パネル部材。
【請求項２】
各第２光学機能面は、当該第２光学機能面に対応するレンズ面に対向して配置され、
各第２光学機能面の前記一軸方向において一側に位置する端部は、当該第２光学機能面に対応するレンズ面の先端部よりも前記一軸方向において一側に位置し、
各第２光学機能面は、前記一軸方向において一側に位置する端部が、前記一軸方向において他側に位置する端部よりも、前記パネル部材の法線方向において前記レンズ面に近接するように、前記第１光学機能面に対して傾斜している、請求項１に記載のパネル部材。
【請求項３】
前記第２部分の前記第１光学機能面側を向く面に各レンズ面に対向するようにして形成された複数の切込部内にそれぞれ位置し、前記第２部分よりも屈折率の低い複数の低屈折率部と、をさらに備え、
各第２光学機能面は、各々に対応する低屈折率部と前記第２部分との間に設けられており、
前記レンズ面は、前記或る方向及び前記別の方向とは異なる更なる別の方向から入射した光を前記低屈折率部に導き、
前記低屈折率部は、前記第２部分との界面で前記レンズ面からの光を、当該光の進行方向が前記パネル部材の法線方向に対してなす角度が小さくなるように、偏向させる、請求項１または２に記載のパネル部材。
【請求項４】
第１部分と、
前記第１部分に積層され、前記第１部分との間に一軸方向に並べられた複数のレンズ面を形成する第２部分と、
前記第２部分内で前記一軸方向に配列された複数の第１光学機能面と、
前記第２部分内で前記一軸方向に配列された複数の第２光学機能面と、
を備える、パネル状のパネル部材であって、
前記第１光学機能面は、前記パネル部材のパネル面に対して傾斜し、
前記第２光学機能面は、前記パネル部材のパネル面に対して前記第１光学機能面とは異なる角度で傾斜し、
前記レンズ面は、或る方向から入射した光を前記第１光学機能面に導き、前記或る方向とは異なる別の方向から入射した光を前記第２光学機能面に導き、
前記第１部分の前記レンズ面を形成した面とは反対側の面に、前記パネル部材のパネル面に対して傾斜した傾斜面が形成されている、パネル部材。
【請求項５】
各第１光学機能面は、当該第１光学機能面に対応するレンズ面に対向して配置され、
各第２光学機能面は、当該第２光学機能面に対応するレンズ面に対向して配置され、
各レンズ面に対応して配置された第２光学機能面は、当該レンズ面に対応して配置された第１光学機能面よりも、前記一軸方向における一側に配置され、
各第１光学機能面は、前記一軸方向において他側に位置する端部が、前記一軸方向において一側に位置する端部よりも、前記パネル部材の法線方向において前記レンズ面に近接するように、前記パネル部材の前記パネル面に対して傾斜し、
各第２光学機能面は、前記一軸方向において一側に位置する端部が、前記一軸方向において他側に位置する端部よりも、前記パネル部材の法線方向において前記レンズ面に近接するように、前記パネル部材の前記パネル面に対して傾斜している、請求項４に記載のパネル部材。
【請求項６】
前記傾斜面は、前記パネル部材の前記パネル面に対して前記第２光学機能面とは反対側に傾斜している、請求項１〜５のいずれか一項に記載のパネル部材。
【請求項７】
前記第１部分の前記レンズ面を形成した面とは反対側の面は、複数の前記傾斜面と、隣り合う２つの傾斜面を接続する接続面と、を含む、請求項１〜６のいずれか一項に記載のパネル部材。
【請求項８】
前記一軸方向及び前記パネル部材の法線方向の両方に平行な断面において、前記傾斜面は、当該傾斜面と隣り合う接続面よりも長い、請求項７に記載のパネル部材。
【請求項９】
前記傾斜面が前記パネル部材のパネル面に対してなす角度は、当該傾斜面と隣り合う接続面が前記パネル部材のパネル面に対してなす角度よりも小さい、請求項７または８に記載のパネル部材。
【請求項１０】
前記第１部分の屈折率は、前記第２部分の屈折率よりも低く、
前記レンズ面は、前記第２部分側から前記第１部分側に向かって凸となる形状をもつ、請求項１〜９のいずれか一項に記載のパネル部材。
【請求項１１】
前記第２部分の屈折率は、前記第１部分の屈折率よりも低く、
前記レンズ面は、前記第１部分側から前記第２部分側に向かって凸となる形状をもつ、請求項１〜９のいずれか一項に記載のパネル部材。
【請求項１２】
前記第１光学機能面に対向して太陽電池パネルが設けられ、
前記第１光学機能面は、前記太陽電池パネルの入光面をなしている、請求項１〜１１のいずれか一項に記載のパネル部材。
【請求項１３】
前記第２光学機能面は、表示を行うための表示面である、請求項１〜１２のいずれか一項に記載のパネル部材。
【請求項１４】
各第２光学機能面に表示対象要素が付与され、前記表示対象要素の組み合わせで表示対象が形成される、請求項１３に記載のパネル部材。
【請求項１５】
第１部分と、
前記第１部分に積層され、前記第１部分との間に一軸方向に並べられた複数のレンズ面を形成する第２部分と、を備える、シート状の光制御シートであって、
前記第１部分の前記レンズ面を形成した面とは反対側の面に、前記光制御シートのシート面に対して傾斜した複数の傾斜面が形成されている、光制御シート。
【発明の詳細な説明】
【技術分野】
【０００１】
本発明は、或る方向から入射した光を第１光学機能面に導き、前記或る方向とは異なる別の方向から入射した光を第２光学機能面に導くことができるパネル部材に関する。
【背景技術】
【０００２】
このようなパネル部材の典型例として、パネル部材の観察方向に応じて、観察される面が、第１光学機能面及び第２光学機能面の間で変化する表示媒体が例示される（例えば特許文献１）。このパネル部材では、例えば、第１及び第２の光学機能面が、互いに異なる絵柄を形成された絵柄形成面をなしている。観察者は、パネル部材を観察する観察方向に応じて、第１及び第２の光学機能面に付与された異なる絵柄を観察することができる。
【０００３】
図１７に示すように、このパネル部材１１０では、入光側にレンズ面１２１を形成する複数の凸部１４２が設けられ、各凸部１４２に対向する領域が第１光学機能面１１１と第２光学機能面１１２とに分割されている。図１７に示された例では、第１光学機能面１１１と第２光学機能面１１２の境界が、光軸方向ｏｄからの光Ｌ５５１に対するレンズ面１２１の焦点ｆｐとなる位置に配置されている。そして、パネル部材１１０の法線方向から一側（図１７における上側）に傾斜した方向からの観察において、第１光学機能面１１１によって表示される絵柄が観察され（図１７の光Ｌ５５２参照）、パネル部材の法線方向から他側に傾斜した方向からの観察において、第２光学機能面１１２によって表示される絵柄が観察されるようになる。
【先行技術文献】
【特許文献】
【０００４】
【特許文献１】特開２０００−１３１７８３号公報
【発明の概要】
【発明が解決しようとする課題】
【０００５】
このようなパネル部材は、一般的に透明樹脂を用いて作製される。そして、一般的に使用されている安価な樹脂材料の屈折率は１．４０〜１．６０程度である。したがって、凸部のレンズ面での屈折により、光の進行方向を大きく曲げることはできない。このため、パネル部材の法線方向から一側に３０°程度傾斜した方向に進む光Ｌ５５３は、凸部１４２により形成されるレンズ面１２１で屈折した後、当該凸部１４２と隣り合う別の凸部１４２に対面する第２光学機能面１１２に入射することになる。また、さらに大きく一側に傾斜した方向に進む光Ｌ５５４は、パネル部材の内部でもさらに大きく傾斜した方向に進み、別の凸部１４２に対面する第１光学機能面１１１、或いは、さらに離れた位置にある光学機能面に入射することになる。すなわち、従来のパネル部材では、第１光学機能面１１１からの光学機能または第２光学機能面１１２からの光学機能が連続して発現されるようになる角度範囲を大きく確保することができない。
【０００６】
このようなパネル部材では、例えば、光学機能面が絵柄形成面をなす場合、絵柄を広い視野角で観察することができない。したがって、このパネル部材は、絵柄や情報等を表示する媒体として一般的な用途に用いることは難しい。また、このパネル部材は、入射光のパネル部材への入射方向が大きく変化するようになる用途、例えば太陽電池用受光パネルのように太陽光を受光して所望の光学機能を発現させる用途では、太陽光のパネル部材への入射方向が地球の自転や公転によって時間帯や季節ごとに大きく変化するので、図１７のパネル部材を効率的または有効に用いることはできない。
【０００７】
加えて、図１７に示すパネル部材１１０では、レンズ面１２１が外方に向かって凸となるように突出し、パネル部材１１０の入光側の表面を形成している。この場合、パネル部材１１０の使用に伴い、隣り合う２つのレンズ面１２１の間となる谷部領域Ｖに異物が堆積していく。谷部領域Ｖに異物が堆積すると、レンズ面１２１に入射すべき光、あるいは、レンズ面１２１から出射していくべき光を異物が遮ってしまう。これにより、パネル部材１１０が、第１光学機能面１１１からの光学機能または第２光学機能面１１２からの光学機能を有効に発揮することを阻害してしまう場合がある。このため、図１７に示すパネル部材１１０は、定期的に谷部領域Ｖに堆積した異物を取り除く作業を必要とするが、このような作業は煩雑である。加えて、谷部領域Ｖに堆積した異物は除去し難い上に、異物を取り除く際にレンズ面１２１を傷付けてしまうおそれもあり、谷部領域Ｖに異物が堆積することはパネル部材１１０としての実用性に欠くおそれがある。
【０００８】
本発明は、以上の点を考慮してなされたものであり、各光学機能面からの光学機能が連続して発現されるようになる角度範囲を高い自由度で調整することができ、且つ、隣り合う２つのレンズ面の間となる谷部領域に異物が堆積してしまうことを防止することが可能なパネル部材を提供することを目的とする。
【課題を解決するための手段】
【０００９】
本発明による第１のパネル部材は、第１部分と、
前記第１部分に積層され、前記第１部分との間に一軸方向に並べられた複数のレンズ面を形成する第２部分と、
前記第２部分を基準として前記第１部分とは反対側に設けられ、前記第２部分に対向して位置する第１光学機能面と、
前記一軸方向に配列され、前記複数のレンズ面と前記第１光学機能面との間に位置している複数の第２光学機能面と、を備え、
各第２光学機能面は、前記第１光学機能面に対して傾斜し、
前記レンズ面は、或る方向から入射した光を前記第１光学機能面に導き、前記或る方向とは異なる別の方向から入射した光を前記第２光学機能面に導き、
前記第１部分の前記レンズ面を形成した面とは反対側の面に、前記パネル部材のパネル面に対して傾斜した傾斜面が形成されている。
【００１０】
本発明による第１のパネル部材において、各第２光学機能面は、当該第２光学機能面に対応するレンズ面に対向して配置され、
各第２光学機能面の前記一軸方向において一側に位置する端部は、当該第２光学機能面に対応するレンズ面の先端部よりも前記一軸方向において一側に位置し、
各第２光学機能面は、前記一軸方向において一側に位置する端部が、前記一軸方向において他側に位置する端部よりも、前記パネル部材の法線方向において前記レンズ面に近接するように、前記第１光学機能面に対して傾斜していてもよい。
【００１１】
本発明による第１のパネル部材において、前記第２部分の前記第１光学機能面側を向く面に各レンズ面に対向するようにして形成された複数の切込部内にそれぞれ位置し、前記第２部分よりも屈折率の低い複数の低屈折率部と、をさらに備え、
各第２光学機能面は、各々に対応する低屈折率部と前記第２部分との間に設けられており、
前記レンズ面は、前記或る方向及び前記別の方向とは異なる更なる別の方向から入射した光を前記低屈折率部に導き、
前記低屈折率部は、前記第２部分との界面で前記レンズ面からの光を、当該光の進行方向が前記パネル部材の法線方向に対してなす角度が小さくなるように、偏向させてもよい。
【００１２】
本発明による第２のパネル部材は、第１部分と、
前記第１部分に積層され、前記第１部分との間に一軸方向に並べられた複数のレンズ面を形成する第２部分と、
前記第２部分内で前記一軸方向に配列された複数の第１光学機能面と、
前記第２部分内で前記一軸方向に配列された複数の第２光学機能面と、
を備え、
前記第１光学機能面は、前記パネル部材のパネル面に対して傾斜し、
前記第２光学機能面は、前記パネル部材のパネル面に対して前記第１光学機能面とは異なる角度で傾斜し、
前記レンズ面は、或る方向から入射した光を前記第１光学機能面に導き、前記或る方向とは異なる別の方向から入射した光を前記第２光学機能面に導き、
前記第１部分の前記レンズ面を形成した面とは反対側の面に、前記パネル部材のパネル面に対して傾斜した傾斜面が形成されている。
【００１３】
本発明による第２のパネル部材において、各第１光学機能面は、当該第１光学機能面に対応するレンズ面に対向して配置され、
各第２光学機能面は、当該第２光学機能面に対応するレンズ面に対向して配置され、
各レンズ面に対応して配置された第２光学機能面は、当該レンズ面に対応して配置された第１光学機能面よりも、前記一軸方向における一側に配置され、
各第１光学機能面は、前記一軸方向において他側に位置する端部が、前記一軸方向において一側に位置する端部よりも、前記パネル部材の法線方向において前記レンズ面に近接するように、前記パネル部材の前記パネル面に対して傾斜し、
各第２光学機能面は、前記一軸方向において一側に位置する端部が、前記一軸方向において他側に位置する端部よりも、前記パネル部材の法線方向において前記レンズ面に近接するように、前記パネル部材の前記パネル面に対して傾斜していてもよい。
【００１４】
本発明による第１または第２のパネル部材において、前記傾斜面は、前記パネル部材の前記パネル面に対して前記第２光学機能面とは反対側に傾斜していてもよい。
【００１５】
本発明による第１または第２のパネル部材において、前記第１部分の前記レンズ面を形成した面とは反対側の面は、複数の前記傾斜面と、隣り合う２つの傾斜面を接続する接続面と、を含んでもよい。
【００１６】
本発明による第１または第２のパネル部材において、前記一軸方向及び前記パネル部材の法線方向の両方に平行な断面において、前記傾斜面は、当該傾斜面と隣り合う接続面よりも長くてもよい。
【００１７】
本発明による第１または第２のパネル部材において、前記傾斜面が前記パネル部材のパネル面に対してなす角度は、当該傾斜面と隣り合う接続面が前記パネル部材のパネル面に対してなす角度よりも小さくてもよい。
【００１８】
本発明による第１または第２のパネル部材において、前記第１部分の屈折率は、前記第２部分の屈折率よりも低く、前記レンズ面は、前記第２部分側から前記第１部分側に向かって凸となる形状をもってもよい。
【００１９】
本発明による第１または第２のパネル部材において、前記第２部分の屈折率は、前記第１部分の屈折率よりも低く、前記レンズ面は、前記第１部分側から前記第２部分側に向かって凸となる形状をもってもよい。
【００２０】
本発明による第１または第２のパネル部材において、前記第１光学機能面に対向して太陽電池パネルが設けられ、前記第１光学機能面は、前記太陽電池パネルの入光面をなしていてもよい。
【００２１】
本発明による第１または第２のパネル部材において、前記第２光学機能面は、表示を行うための表示面であってもよい。
【００２２】
本発明による第１または第２のパネル部材において、各第２光学機能面に表示対象要素が付与され、前記表示対象要素の組み合わせで表示対象が形成されてもよい。
【００２３】
本発明による光制御シートは、第１部分と、
前記第１部分に積層され、前記第１部分との間に一軸方向に並べられた複数のレンズ面を形成する第２部分と、を備え、
前記第１部分の前記レンズ面を形成した面とは反対側の面に、前記光学シートのシート面に対して傾斜した複数の傾斜面が形成されている。
【発明の効果】
【００２４】
本発明によれば、各光学機能面からの光学機能が連続して発現されるようになる角度範囲を高い自由度で調整することができ、且つ、隣り合う２つのレンズ面の間となる谷部領域に異物が堆積することを抑制することができる。
【図面の簡単な説明】
【００２５】
【図１】図１は、本発明による第１の実施の形態を説明するための図であって、パネル部材を示す斜視図である。
【図２】図２は、図１のＩＩ−ＩＩ線に沿った断面図である。
【図３】図３は、パネル部材の第２光学機能面の一例を示す図である。
【図４】図４は、図２に示すパネル部材の低屈折率部を拡大して示す断面図である。
【図５】図５は、図２と同様の断面において、レンズ面の第２光学機能面への集光機能を説明するための図である。
【図６】図６は、図２と同様の断面において、レンズ面の第１光学機能面への集光機能を説明するための図である。
【図７】図７は、パネル部材の製造方法を説明するための図である。
【図８】図８は、パネル部材の製造方法を説明するための図である。
【図９】図９は、パネル部材の製造方法を説明するための図である。
【図１０】図１０は、パネル部材の製造方法を説明するための図である。
【図１１】図１１は、図２に対応する断面図であって、第１部分及び第２部分がそれぞれ複数の層を含む例を説明するための図である。
【図１２】図１２は、図２に対応する断面図であって、レンズ面の他の例を説明するための図である。
【図１３】図１３は、図４に対応する断面図であって、第２光学機能面に重なるようにして反射面がさらに設けられた例を示す図である。
【図１４】図１４は、図２に対応する図であって、本発明による第２の実施の形態のパネル部材を示す断面図である。
【図１５】図１５は、図１４と同様の断面において、レンズ面の第２光学機能面への集光機能を説明するための図である。
【図１６】図１６は、図１４と同様の断面において、レンズ面の第１光学機能面への集光機能を説明するための図である。
【図１７】図１７は、従来のパネル部材を示す縦断面図である。
【発明を実施するための形態】
【００２６】
以下、図面を参照して本発明の実施の形態について説明する。なお、本件明細書に添付する図面においては、図示と理解のしやすさの便宜上、適宜縮尺および縦横の寸法比等を、実物のそれらから変更し誇張してある。
【００２７】
≪第１の実施の形態≫
図１〜図１３は、本発明の第１の実施の形態を説明するための図である。このうち図１及び図２は、パネル部材１０を示す斜視図または縦断面図であり、図３〜図６は、パネル部材１０が発現する光学機能を説明するため図であり、図７〜図１０は、パネル部材の製造方法の一例を説明するための図である。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２８】
ここで説明するパネル部材１０は、何らかの光学機能を発現することを期待された第１光学機能面１１及び第２光学機能面１２を含んだパネル状の部材である。光学機能面は、光の作用や性質を利用した機能を備える平面もしくは曲面またはこれらを組み合わせた面である。光は、可視光だけでなく赤外線から紫外線までを含む意味である。光の作用や性質としては、例えば、光の直進、屈折、反射、吸収、発光、干渉、および偏光などが挙げられる。光学機能としては、例えば、表示機能、照明機能、遮光機能、および太陽電池、光学素子、光学部材または光学機器などとの光接続機能などが挙げられる。図１及び図２に示すように、パネル部材１０には、第１軸方向ｄ１に配列された複数のレンズ面２１が形成されている。レンズ面２１は、パネル部材１０に入射する光またはパネル部材１０から出射する光に対してレンズ機能を発現し、当該光の進行方向を調整する。レンズ面２１は、或る角度範囲ＡＲ１内の方向からパネル部材１０に入射した光を第１光学機能面１１に導き、或る角度範囲ＡＲ２内の方向からパネル部材１０に入射した光を第２光学機能面１２に導く。つまり、レンズ面２１は、第１光学機能面１１からの光を屈折させて第１角度範囲ＡＲ１内の方向へ出射させ、第２光学機能面１２からの光を屈折させて第２角度範囲ＡＲ２内の方向へ出射させる。
【００２９】
つまり、第１光学機能面１１は、第１角度範囲ＡＲ１からパネル部材１０へ入射する光に対して、或いは、第１角度範囲ＡＲ１へ向けてパネル部材１０から出射する光に対して何らかの光学機能を発揮する。また、第２光学機能面１２は、第２角度範囲ＡＲ２からパネル部材１０へ入射する光に対して、或いは、第２角度範囲ＡＲ２へ向けてパネル部材１０から出射する光に対して何らかの光学機能を発揮する。
【００３０】
そして、ここで説明するパネル部材１０では、各光学機能面１１、１２からの光学機能が連続して発現されるようになる角度範囲を、すなわち、第１角度範囲ＡＲ１及び第２角度範囲ＡＲ２を、高い自由度で調整し得るようにするための工夫がなされている。この結果、各光学機能面１１、１２での光学機能が安定して発揮され、パネル部材１０が有効に機能するようになる。
【００３１】
以下に詳述する一実施の形態では、一例として、第１光学機能面１１は、太陽電池パネル５０の入光面５０ａとして機能する。すなわち、第１角度範囲ＡＲ１からパネル部材１０へ入射する光は、レンズ面２１によってその進行方向が調整されて、入光面５０ａとしての第１光学機能面１１を介して太陽電池パネル５０へ入射し、発電に利用される。また、第２光学機能面１２は、一例として、表示対象１３を表示するための表示面をなしている。ここで、パネル部材１０へ入射する光は、第２光学機能面１２またはそれに接続された表示素子等で反射し、レンズ面２１によって進行方向が調整されて、第２角度範囲ＡＲ２へ向けてパネル部材１０から出射する。あるいは、第２光学機能面１２またはそれに接続された表示素子等が発光する場合、第２光学機能面１２から出射された光は、レンズ面２１によって進行方向が調整されて、第２角度範囲ＡＲ２へ向けてパネル部材１０から出射する。そして、第２角度範囲ＡＲ２へ向けてパネル部材１０から出射する光は、表示対象１３を表示する。すなわち、観察者は第２角度範囲ＡＲ２から表示対象１３を観察することができる。なお、表示対象１３として、図形、パターン、デザイン、色彩、絵、写真、キャラクターなどの絵柄（イメージ）や、文字、マーク、数字などの情報を例示することができる。表示対象１３は、静止していても動いていてもよい。ただし、本発明は、以下に詳述する一実施の形態に限定されるものではなく、第１光学機能面１１による光学機能及び第２光学機能面１２による光学機能は、適宜変更することができる。
【００３２】
なお、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。一具体例として、「光制御シート」には、「光制御フィルム」や「光制御板」等と呼ばれる部材も含まれる。
【００３３】
また、本明細書において、「シート面（フィルム面、板面、パネル面）」とは、対象となるシート状の部材を全体的かつ大局的に見た場合において対象となるシート状部材の平面方向と一致する面のことを指す。以下に説明する実施の形態においては、パネル部材１０のパネル面、後述する光制御シート２０のシート面、光制御シート２０の後述する本体部４５のシート面、太陽電池パネル５０のパネル面、太陽電池パネル５０の入光面５０ａ、並びに、第１光学機能面１１は、互いに並行となっている。さらに、本明細書において、シート状（フィルム状、板状、パネル状）の部材に対して用いる「法線方向」とは、当該部材のシート面への法線方向のことを指す。
【００３４】
以下、本実施の形態によるパネル部材１０の構成および作用効果について詳述していく。図１および図２によく示されているように、パネル部材１０は、光制御シート２０と、光制御シート２０の背面に配置された太陽電池パネル５０と、を有している。光制御シート２０は、パネル部材１０の表面１０ａを形成し、太陽電池パネル５０は、パネル部材１０の裏面１０ｂを形成している。表面１０ａは、パネル部材１０へ入射する太陽光等の外光等の入射面をなす。また、表面１０ａは、表示対象１３を可視化する第２光学機能面１２からの光がパネル部材１０から出射する出射面をなす。
【００３５】
光制御シート２０は、シート状の第１部分３０と、第１部分３０に積層され、第１部分３０との間に第１軸方向ｄ１に並べられた複数のレンズ面２１を形成する第２部分４０と、を備えている。このうち、第２部分４０は、第１軸方向ｄ１に配列された多数の凸部４２と、多数の凸部４２が配置されたシート状の本体部４５と、を含んでいる。各凸部４２と第１部分３０とにより規定される界面に屈折率差が生じ、上述したレンズ面３１が形成されている。多数の凸部４２は、そのレンズ面２１の光軸ｏｄが互いに平行となるようにして、並べられている。とりわけ図示された例において、凸部４２は、そのレンズ面２１の光軸ｏｄがパネル部材１０の法線方向ｎｄと平行となるよう、配置されている。また、第１軸方向ｄ１は、パネル部材１０のパネル面に沿っており、パネル部材１０の法線方向ｎｄに直交している。図示された例において、パネル部材１０は、第１軸方向ｄ１が鉛直方向と平行になるようにして、配置されている。
【００３６】
凸部４２にて規定されるレンズ面２１は、図１に示すように、いわゆるレンチキュラーレンズ乃至シリンドリカルレンズを構成している。すなわち、各凸部４２は、その配列方向である第１軸方向ｄ１に対して交差する方向に線状に延びている。とりわけ図示された例において、凸部４２は、第１軸方向ｄ１及び法線方向ｎｄの両方と直交する第２軸方向ｄ２に、直線状に延びている。また、複数の凸部４２は、互いに同一に構成されている。
【００３７】
各凸部４２は、第１光学機能面１１とは反対側に向かって凸となるように、シート状の本体部４５から突出している。したがって、各レンズ面２１は、第２部分４０側から第１部分３０側に向かって凸となる形状をもつ。第１軸方向ｄ１及び法線方向ｎｄの両方に平行な図２の断面（以下においては、「主切断面」とも呼ぶ）において、レンズ面２１は、光軸ｏｄを中心として対称となっている。図２に示すように、各レンズ面２１は、当該レンズ面２１に入射する平行光束を集光領域に集める。図２に示すレンズ面２１は、当該レンズ面２１の光軸ｏｄに沿って当該レンズ面２１に入射する平行光Ｌ２１を焦点ｆｐに集める例が示されており、この場合、焦点ｆｐは、レンズ面２１の光軸ｏｄ上に位置する。
【００３８】
ところで、図示された例において、レンズ面２１は、互いに隙間をあけて第１軸方向ｄ１に配列されている。すなわち、第１軸方向ｄ１に隣り合う二つのレンズ面２１の間には、当該二つのレンズ面２１の対面する基端部２２ｂ間を接続する接続面２３が設けられている。図示された例において、接続面２３は、パネル部材１０のパネル面に沿って延びている。接続面２３を設けて、隣り合うレンズ面２１の間に隙間を設けることによって、法線方向ｎｄに対して大きく傾斜した角度範囲からの光がレンズ面２１に入射する前にその隣のレンズ面２１で遮られてしまう問題、いわゆる「ケラレ」を減らすことができる。
【００３９】
本体部４５は、互いに対向する一対の主面として、第１主面４５ａ及び第２主面４５ｂを有している。第１主面４５ａは、各凸部４２と隣接する面を形成し、第２主面４５ｂは、光制御シート２０の、太陽電池パネル５０と隣接する面を形成している。本実施の形態において、各凸部４２は、本体部４５に一体に成形されている。すなわち、各凸部４２と本体部４５の第１主面４５ａとの間に仮想的に規定され得る境界面に継ぎ目が形成されていない。
【００４０】
図２に示すように、本体部４５の第２主面４５ｂに、各々が対応するレンズ面２１に対向するようにして形成された複数の切込部４６が設けられている。各切込部４６は、本体部４５の第２主面４５ｂの他の部分よりも、パネル部材１０の法線方向ｎｄに向かって凹んでいる。複数の切込部４６は、レンズ面２１に対応して、レンズ面２１の配列方向である第１軸方向ｄ１に配列されている。本実施の形態では、各切込部４６は、対応するレンズ面２１と法線方向ｎｄに沿って少なくとも部分的に対面するようにして、配置されている。言い換えると、各切込部４６は、パネル部材１０の法線方向ｎｄからみて、対応するレンズ面２１と少なくとも部分的に重なっている。本実施の形態では、各切込部４６は、レンズ面２１と同様に、配列方向である第１軸方向ｄ１と交差する方向、より厳密には、第１軸方向ｄ１と直交する第２軸方向ｄ２に直線状に延びている。
【００４１】
図２に示すように、各切込部４６は、パネル部材１０の裏面１０ｂ側から表面１０ａ側に向かって延びる第１切込面４７及び第２切込面４８を有している。図示する例では、第１切込面４７が、第２切込面４８よりも第１軸方向ｄ１において一側に位置している。第１切込面４７と第２切込面４８との間の間隔は、パネル部材１０の法線方向ｎｄに沿ってパネル部材１０の表面１０ａに接近していくにつれて、狭くなっている。そして、最も接近した第１切込面４７の表面１０ａ側の端部と、第２切込面４８の表面１０ａ側の端部とが、互いに接続されている。
【００４２】
本実施の形態では、第１切込面４７の表面１０ａ側の端部と、第２切込面４８の表面１０ａ側の端部との前記接続領域上に、切込部４６の表面１０ａ側の端部が位置する。切込部４６の表面１０ａ側の端部は、本体部４５の第１主面４５ａから離間している。言い換えると、切込部４６の表面１０ａ側の端部は、パネル部材１０の法線方向ｎｄにおいて、当該切込部４６に対応するレンズ面２１の基端部２２ｂよりも、第１光学機能面１１に近接して位置している。このような形態によれば、切込部４６と本体部４５の第１主面４５ａとの間に、肉厚を確保することができるため、屈曲や衝撃に対する機械強度を確保することができる。
【００４３】
本実施の形態において、切込部４６内に低屈折率部６０が配置されており、第２部分４０の本体部４５と低屈折率部６０との間となる位置で、切込部４６の第２切込面４８に沿って第２光学機能面１２が配置されている。一方、第１光学機能面１１は、各低屈折率部６０を第２部分４０の本体部４５の第２主面４５ｂとの間で挟むようにして配置されている。
【００４４】
第１光学機能面１１は、第１軸方向ｄ１に配列された複数のレンズ面２１の各々に対向して、平面状に延び広がっている。図示された例において、第１光学機能面１１は、本体部４５のシート面、言い換えると、パネル部材１０のパネル面と平行に延びている。したがって図示された例では、第１光学機能面１１は、レンズ面２１の配列方向である第１軸方向ｄ１と平行に延び広がり、且つ、レンズ面２１の長手方向である第２軸方向ｄ２とも平行に延び広がっている。
【００４５】
上述したように、第２光学機能面１２は、本体部４５に形成された切込部４６内に配置されている。したがって、パネル部材１０の法線方向ｎｄにおいて、第２光学機能面１２は、レンズ面２１と第１光学機能面１１との間に位置している。第２光学機能面１２は、レンズ面２１に対応して、レンズ面２１の配列方向である第１軸方向ｄ１に配列されている。各第２光学機能面１２は、当該第２光学機能面１２が対応する一つのレンズ面２１に対向して位置している。図２に示すように、各第２光学機能面１２は、対応するレンズ面２１と法線方向ｎｄに沿って少なくとも部分的に対面するようにして、配置されている。言い換えると、各第２光学機能面１２は、パネル部材１０の法線方向ｎｄからみて、対応するレンズ面２１と少なくとも部分的に重なっている。本実施の形態では、第２光学機能面１２は、レンズ面２１と同様に、配列方向である第１軸方向ｄ１と交差する方向に線状に延びている。より厳密には、第２光学機能面１２は、レンズ面２１と同様に、第１軸方向ｄ１と直交する第２軸方向ｄ２に直線状に延びている。なお、図示された例において、レンズ面２１に対応して多数設けられた第２光学機能面１２は、互いに同一に構成されている。
【００４６】
各第２光学機能面１２は、第１光学機能面１１に対して傾斜し、レンズ面２１の光軸ｏｄに平行な方向に対しても傾斜している。すなわち、各第２光学機能面１２は、第１光学機能面１１及びレンズ面２１の光軸ｏｄのいずれとも非平行になっている。このような第２光学機能面１２によれば、後述するようにして、第２光学機能面１２からの光学機能が発現されるようになる角度範囲である第２角度範囲ＡＲ２を、高い自由度で調整することが可能となり、また、第１光学機能面１１からの光学機能が発現されるようになる角度範囲である第１角度範囲ＡＲ１も、高い自由度で調整することが可能となる。
【００４７】
図２に示すように、各第２光学機能面１２は、第１軸方向ｄ１において一側（図示する例では、図２における上側であって、鉛直方向における上側）に位置する一端部１２ａが、第１軸方向ｄ１において他側（図示する例では、図２における下側であって、鉛直方向における下側）に位置する他端部１２ｂよりも、パネル部材１０の法線方向ｎｄにおいてレンズ面２１に近接するように、パネル部材１０のパネル面に対して傾斜している。したがって、第２光学機能面１２の一端部１２ａは、第２光学機能面１２の他端部１２ｂよりも、パネル部材１０の法線方向ｎｄにおいてレンズ面２１に近接している。図２から理解されるように、このような第２光学機能面１２には、法線方向ｎｄに対して他側（下側）に傾斜した角度範囲からの光が、入射しやすくなる。したがって、第２光学機能面１２からの光学機能は、法線方向ｎｄに対して他側（下側）に傾斜した角度範囲に向けて、効果的に発揮されるようになる。
【００４８】
このような傾向を強化する観点から、パネル部材の主切断面において、第２光学機能面１２は、第１軸方向ｄ１における一側（上側）から他側（下側）に向けて、段階的又は連続的に、パネル部材１０の法線方向ｎｄに沿ってレンズ面２１から離間していくことが好ましい。図示された例において、第２光学機能面１２は平面として形成されている。そして、図２に示されたパネル部材の主切断面において、第２光学機能面１２は、第１軸方向ｄ１における一側から他側に向けて、連続的に一定の傾斜の程度で、パネル部材１０の法線方向ｎｄに沿ってレンズ面２１から離間していく。このような第２光学機能面１２によれば、第２光学機能面１２からの光学機能が、法線方向ｎｄに対して他側に傾斜した角度範囲に向けて、効果的に発揮されるようになる。
【００４９】
また、図２に示すように、各第２光学機能面１２は、第１軸方向ｄ１において一側（上側）に位置する一端部１２ａが、当該第２光学機能面１２に対応するレンズ面２１の先端部２２ａよりも第１軸方向ｄ１において一側に位置している。すなわち、各第２光学機能面１２の一端部１２ａは、当該第２光学機能面１２に対応するレンズ面２１の光軸ｏｄよりも第１軸方向ｄ１において一側に位置している。上述のように、レンズ面２１は、光軸ｏｄを中心として対称となっており、レンズ面２１にて屈折して法線方向ｎｄに対して他側に傾斜した方向から本体部４５内を進行する光は、光軸ｏｄよりも第１軸方向ｄ１において一側に位置した領域を通過し易い。したがって、各第２光学機能面１２の一端部１２ａが、対応するレンズ面２１の光軸ｏｄよりも第１軸方向ｄ１において一側に位置することにより、レンズ面２１にて屈折して法線方向ｎｄに対して他側に傾斜した方向から本体部４５内を進行する光を、第２光学機能面１２にてさらに受光し易くなる。すなわち、第２光学機能面１２からの光学機能は、法線方向ｎｄに対して他側（下側）に傾斜した角度範囲に向けて、さらに効果的に発揮されるようになる。
【００５０】
図示された実施の形態では、図２に示されたパネル部材の主切断面において、第２光学機能面１２の第１軸方向ｄ１における他側（下側）の端部である他端部１２ｂは、当該第２光学機能面１２に対応するレンズ面２１の先端部２２ａと、第１軸方向ｄ１において同一位置に位置している。もっとも、図２に示されたパネル部材の主切断面において、第２光学機能面１２の他端部１２ｂは、当該第２光学機能面１２に対応するレンズ面２１の先端部２２ａから、第１軸方向ｄ１においてずれて位置していてもよい。また、図２に示されたパネル部材の主切断面において、第２光学機能面１２の第１軸方向ｄ１における一側の端部である一端部１２ａは、当該第２光学機能面１２に対応するレンズ面２１の第１軸方向ｄ１における一側の基端部２２ｂと、第１軸方向ｄ１において同一位置に位置している。もっとも、図２に示されたパネル部材の主切断面において、第２光学機能面１２の一端部１２ａは、当該第２光学機能面１２に対応するレンズ面２１の第１軸方向ｄ１における一側の基端部２２ｂから、第１軸方向ｄ１においてずれて位置していてもよい。また、図示された例では、図２に示されたパネル部材の主切断面において、第２光学機能面１２の一端部１２ａは、レンズ面２１の第１軸方向ｄ１における一側の基端部２２ｂから、パネル部材１０の法線方向ｎｄに沿ってパネル部材１０の裏面１０ｂ側に離間している。
【００５１】
なお、レンズ面２１の先端部２２ａは、図２に示されたパネル部材の主切断面において、その接線がパネル部材１０のパネル面と平行となる部分のことである。図２に示すレンズ面２１においては、レンズ面２１の先端部２２ａは、レンズ面２１のうちの、パネル部材１０の法線方向ｎｄに沿って本体部４５から最も突出した部分に相当する。また、レンズ面２１の基端部２２ｂは、レンズ面２１のうちの、先端部２２ａから最も離間した部分のことである。図２に示すレンズ面２１においては、レンズ面２１の基端部２２ｂは、レンズ面２１のうちの、パネル部材１０の法線方向ｎｄに沿って本体部４５に最も接近した部分に相当する。
【００５２】
加えて、図２に示すように、第１光学機能面１１は、レンズ面２１の焦点ｆｐ上に位置している。より厳密には、第１光学機能面１１は、多数のレンズ面２１の焦点ｆｐによって画成される仮想面上に位置している。そして、図２に示されたパネル部材の主切断面において、第２光学機能面１２の第１軸方向ｄ１における他側（下側）に位置する他端部１２ｂは、第１光学機能面１１に接続している。すなわち、図示された実施の形態では、パネル部材の主切断面において、第２光学機能面１２の他端部１２ｂは、パネル部材１０の法線方向ｎｄに進む平行光束Ｌ２１（図２参照）がレンズ面２１に入射した際におけるレンズ面２１の焦点位置ｆｐ上に位置している。さらに言い換えると、第２光学機能面１２の他端部１２ｂは、レンズ面２１の光軸ｏｄ上に位置している。このようなパネル部材１０によれば、第１角度範囲ＡＲ１と第２角度範囲ＡＲ２とを切り分けることに寄与する。
【００５３】
なお、図示された本実施の形態では、上述したように、第１光学機能面１１は、太陽電池パネル５０の入光面５０ａとして機能する。すなわち、第１角度範囲ＡＲ１からパネル部材１０へ入射する光は、入光面５０ａとしての第１光学機能面１１を介して太陽電池パネル５０へ入射し、発電に利用される。太陽電池パネル５０は、太陽電池素子を含んでおり、取り込んだ光によって電流を生じさせる。太陽電池パネル５０は、種々の既知な部材を用いることができ、特に限定されない。
【００５４】
一方、図示された本実施の形態での第２光学機能面１２は、表示対象１３を表示するための表示面をなしている。したがって、第２角度範囲ＡＲ２へ向けてパネル部材１０から出射する光は、表示対象１３を可視化させる。すなわち、第２角度範囲ＡＲ２から第２光学機能面１２が視認され、結果として、第２光学機能面１２に形成された表示対象１３を観察することができる。なお、第２光学機能面１２によって動く表示対象１３を表示する場合、第１光学機能面１１と隣接した太陽電池パネル５０から発電された電気を駆動に用いることが簡便である。
【００５５】
図３には、第２光学機能面１２に形成される表示対象１３の一例が示されている。複数の第２光学機能面１２が、第１軸方向ｄ１に配列されるとともに、各第２光学機能面１２は、第１軸方向ｄ１に直交する第２軸方向ｄ２に直線状に延びている。したがって、第１軸方向ｄ１における各位置に位置する第２光学機能面１２が、当該第２光学機能面１２の第１軸方向ｄ１における位置に応じた表示対象要素１３ａを付与されることによって、第２軸方向ｄ２に細長く延びる各第２光学機能面１２に形成された表示対象要素１３ａの組み合わせとして二次元的な表示対象１３を表示することが可能となる。図３に示された例では、アルファベットの大文字の「Ｎ」が表示対象１３として表示されている。このように、複数の表示対象要素１３ａの組み合わせとして表示対象１３を表示することで、各第２光学機能面１２および各凸部４２のサイズを小さくできるため、第２角度範囲ＡＲ２を広げたりパネル部材１０のサイズを大きくしたとしても、より良好な表示対象１３を観察できるようになる。
【００５６】
本実施の形態のパネル部材１０は、表示対象１３が連続して表示される角度範囲を高い自由度で調整可能である。そのため、本実施の形態のパネル部材１０は、様々な用途で利用可能であり、例えば、屋外看板、道路情報掲示板、建築物の外壁面などで用いられる数ｍ〜数十ｍサイズの大型パネル用途や、ポスター、標識、建築物の内壁面などで用いられる数十ｃｍ〜数ｍサイズの中型パネル用途や、卓上スタンド、携帯端末などで用いられる数ｃｍ〜数十ｃｍの小型パネル用途などを例示することができる。
【００５７】
さて、上述のように、レンズ面２１は、典型的には、パネル部材１０の法線方向ｎｄに対して第１軸方向ｄ１における一側に傾斜した方向から入射した光Ｌ２２を第１光学機能面１１に導き、パネル部材１０の法線方向ｎｄに対して第１軸方向ｄ１における他側に傾斜した方向から入射した光Ｌ２３を第２光学機能面１２に導く。ところが、図２に示すように、パネル部材１０の法線方向ｎｄに対して第１軸方向ｄ１における一側に大きく傾斜した方向からレンズ面２１に入射した光Ｌ２５は、当該レンズ面２１と他側で隣り合うレンズ面２１に対面する第２光学機能面１２に、パネル部材１０の裏面１０ｂ側から向かっていく。このような方向からの光Ｌ２５が、裏面１０ｂ側から第２光学機能面１２に入射してしまうと、第２光学機能面１２から期待された光学機能が発現されない。そこで、本実施の形態では、パネル部材１０の裏面１０ｂ側から第２光学機能面１２に向かう光Ｌ２５を、第１光学機能面１１に導くように、第２光学機能面１２が配置された切込部４６内に低屈折率部６０が設けられている。この低屈折率部６０は、第２部分４０よりも屈折率が低くなっている。このような低屈折率部６０によれば、パネル部材１０の法線方向ｎｄに対して第１軸方向ｄ１における一側に大きく傾斜した方向からレンズ面２１に入射した光Ｌ２５をも第１光学機能面１１に導くことを可能にするため、第１角度範囲ＡＲ１をさらに広角化させることができる。
【００５８】
図４に、切込部４６内に配置された低屈折率部６０を拡大して示す。図４に示すように、本実施の形態の低屈折率部６０は、第２光学機能面１２が配置された切込部４６内に隙間なく配置されている。このため、低屈折率部６０は、第２部分４０の本体部４５に形成された切込部４６の形状に対応する。ゆえに、複数の低屈折率部６０は、切込部４６と同様に、レンズ面２１の配列方向である第１軸方向ｄ１に配列されている。本実施の形態において、各低屈折率部６０は、対応するレンズ面２１と法線方向ｎｄに沿って少なくとも部分的に対面するようにして、配置されている。さらに、低屈折率部６０は、切込部４６の形状に対応して、レンズ面２１の配列方向である第１軸方向ｄ１と交差する方向、より厳密には、第１軸方向ｄ１と直交する第２軸方向ｄ２に直線状に延びている。
【００５９】
図４に示すように、低屈折率部６０は、切込部４６の第１切込面４７に沿って配置された入光面６１と、切込部４６の第２切込面４８に沿って配置された接続面６２と、入光面６１の裏面１０ｂ側の端部と接続面６２の裏面１０ｂ側の端部との間を延びる出光面６３と、を含んでいる。このうち、入光面６１は、レンズ面２１にて屈折した光Ｌ３１が入光する面をなし、出光面６３は、入光面６１からの光Ｌ３１が出光する面をなしている。図４に示す例では、出光面６３は、第１光学機能面１１に沿って位置し、第１光学機能面１１に隣接している。入光面６１は、出光面６３の第１軸方向ｄ１において一側に位置する端部から、レンズ面２１側つまりパネル部材１０の表面１０ａ側に向かって延び出している。接続面６２は、出光面６３の第１軸方向ｄ１において他側に位置する端部から、レンズ面２１側に向かって延び出している。また、接続面６２は、第２光学機能面１２に沿って位置し、当該第２光学機能面１２に隣接している。
【００６０】
図４に示すように、切込部４６の第１切込面４７及び第２切込面４８の形状に対応して、入光面６１と接続面６２との間の間隔は、パネル部材１０の法線方向ｎｄに沿って出光面６３から離間していくにつれて、狭くなっていく。そして、最も幅の狭くなった入光面６１の表面１０ａ側の端部と、接続面６２の表面１０ａ側の端部とが、互いに接続されている。とりわけ、図４に示された例では、入光面６１、接続面６２および出光面６３が平坦面として形成されており、低屈折率部６０は、主切断面において三角形形状をなしている。
【００６１】
ただし、主切断面における低屈折率部６０の断面形状は、三角形形状である必要はなく、種々の形状を有するようにしてもよい。例えば、主切断面における低屈折率部６０の断面形状は、三角形の一以上の角、例えば入光面６１と接続面６２とが接続した角が面取りされてなる形状となっていてよい。また、入光面６１の表面１０ａ側の端部と、接続面６２の表面１０ａ側の端部と、の間を延びる上面がさらに設けられていてもよい。つまり、主切断面における低屈折率部６０の断面形状は、台形形状であってもよい。
【００６２】
このような低屈折率部６０は、第２部分４０をなす材料よりも屈折率の低いものであれば特に限定されず、流体であってもよいし、固体であってもよい。第２部分４０をなす材料として、例えば、屈折率が１．５０〜１．６０程度に調整されたウレタンアクリレート系、エポキシアクリレート系等のアクリレート系樹脂が挙げられる。一方、低屈折率部６０をなす樹脂材料として、例えば、屈折率が１．４５〜１．５１程度に調整されたアクリル系、エポキシ系、ウレタン系等の紫外線硬化性樹脂が挙げられる。低屈折率部６０が第２部分４０をなす樹脂材料よりも屈折率の低い樹脂材料からなる場合、第２光学機能面１２を樹脂材料で覆うことで当該第２光学機能面１２を保護することができる。これにより、第２部分４０に形成された切込部４６内に配置された第２光学機能面１２に、環境の変化や振動等の外乱に対する耐性を付与することができる。あるいは、低屈折率部６０は、気体からなってもよい。この場合、低屈折率部６０の入光面６１と第２部分４０との界面で、大きな屈折率差を生じさせることができるため、レンズ面２１から低屈折率部６０に向かってくる光Ｌ２５の進行方向を、パネル部材１０の法線方向ｎｄに対してなす角度が小さくなるように、大きく変更させることができる。本実施の形態では、低屈折率部６０は、空気からなる。
【００６３】
このような低屈折率部６０によれば、入光面６１と第２部分４０との界面で、パネル部材１０の法線方向ｎｄに対して第１軸方向ｄ１における一側に大きく傾斜した方向からレンズ面２１に入射した光Ｌ２５を、当該光Ｌ２５の進行方向がパネル部材１０の法線方向ｎｄに対してなす角度が小さくなるように、偏向させることができる。上述のように、第１光学機能面１１はパネル部材１０のパネル面に沿って配置されているため、低屈折率部６０によれば、レンズ面２１からの光Ｌ３１を第１光学機能面１１に向けて偏向させることができる。このような光学機能を効果的に発現する観点から、低屈折率部６０の入光面６１は、以下に説明するような幾何学的関係を満たすことが好ましい。
【００６４】
先ず、図４に示すように、低屈折率部６０で偏向させることが意図された光Ｌ３１は、第２光学機能面１２にパネル部材１０の裏面１０ｂ側から接近してくる。このため、低屈折率部６０で偏向させることが意図された光Ｌ３１がパネル部材１０の法線方向ｎｄに対してなす角度θ３は、第２光学機能面１２が法線方向ｎｄに対してなす角度θ１よりも大きくなる。図４に示す幾何学的関係から理解されるように、低屈折率部６０で偏向させることが意図された光Ｌ３１を、第１光学機能面１１に向けて偏向させるためには、この光Ｌ３１を入光面６１の法線方向ＮＤ１に対して第１光学機能面１１とは反対側から入射させる必要がある。したがって、低屈折率部６０が、第２光学機能面１２が法線方向ｎｄに対してなす角度θ１よりも大きな角度で入射する光Ｌ３１を、第１光学機能面１１に向けて偏向させるためには、前記主切断面において、第２光学機能面１２と低屈折率部６０の入光面６１とのなす角度θ２は、少なくとも第２光学機能面１２に直交する平面Ｐ２と第２光学機能面１２とのなす角度よりも小さくなればよい。すなわち、第２光学機能面１２と低屈折率部６０の入光面６１とのなす角度θ２は、少なくとも鋭角、すなわち、０°以上９０°未満の角度であればよい。ここで、平面Ｐ２とは、第２光学機能面１２に直交する方向に向かって、低屈折率部６０の表面１０ａに近接した端部から、裏面１０ｂ側に延び出す平面である。第２光学機能面１２と入光面６１とのなす角度θ２を鋭角にすることにより、第２光学機能面１２がパネル部材１０の法線方向ｎｄに対してなす角度θ１よりも大きな角度で向かってくる光Ｌ３１の少なくとも一部を、その進行方向がパネル部材１０の法線方向ｎｄに対してなす角度が小さくなるように、曲げることができる。すなわち、レンズ面２１にて屈折してパネル部材１０の裏面１０ｂ側から第２光学機能面１２に向かってくる光の少なくとも一部Ｌ３１を、第１光学機能面１１に有効に導くことができる。
【００６５】
また、主切断面において、対象となる光が入射するレンズ面２１の第１軸方向ｄ１において一側に位置する基端部２２ｂと、対象となる光が偏向される低屈折率部６０の表面１０ａに近接した端部と、を結ぶ直線をＳＬ２とする。言い換えると、主切断面において、対象となる光が入射するレンズ面２１の基端部のうち、対象となる光が偏向される低屈折率部６０から離間した側に位置する基端部２２ｂと、対象となる光が偏向される低屈折率部６０の入光面６１と接続面６２との接続位置と、を結ぶ直線をＳＬ２とする。図４に示す幾何学的関係から理解されるように、低屈折率部６０で偏向させることが意図された光Ｌ３１、Ｌ３２のうちパネル部材１０の法線方向ｎｄに対してなす角度が最も大きい光は、前記直線ＳＬ２と平行な方向から低屈折率部６０に向かう光Ｌ３２となる。したがって、前記直線ＳＬ２と平行な方向から低屈折率部６０に向かう光Ｌ３２を、第１光学機能面１１に向けて偏向させるためには、上述のように、この光Ｌ３２を入光面６１の法線方向ＮＤ１に対して第１光学機能面１１とは反対側から入射させる必要がある。したがって、前記直線ＳＬ２と平行な方向から低屈折率部６０に向かう光Ｌ３２を、第１光学機能面１１に向けて偏向させるためには、前記主切断面において、第２光学機能面１２と入光面６１とのなす角度θ２は、前記直線ＳＬ２に直交する平面Ｐ３と第２光学機能面１２とのなす角度θ４よりも小さいのがよい。すなわち、前記主切断面において、入光面６１は、前記直線ＳＬ２に直交する平面Ｐ３と、第２光学機能面１２と、の間に配置されるのがよい。ここで、平面Ｐ３とは、前記直線ＳＬ２に直交する方向に向かって、低屈折率部６０の表面１０ａに近接した端部から、裏面１０ｂ側に延び出す平面である。第２光学機能面１２と低屈折率部６０の入光面６１とのなす角度θ２を、前記直線ＳＬ２に直交する平面Ｐ３と第２光学機能面１２とのなす角度θ４よりも小さくすることにより、低屈折率部６０に向かう任意の光Ｌ３１、Ｌ３２を、その進行方向がパネル部材１０の法線方向ｎｄに対してなす角度が小さくなるように、曲げることができる。
【００６６】
また、金型の作製精度を向上させる観点から、低屈折率部６０の入光面６１と第２光学機能面１２とは、第一軸方向ｄ１に直交しパネル部材１０の法線方向ｎｄに平行な面に関して互いに逆側に傾斜しているのがよい。この場合、光制御シート２０を賦型するための金型に、切込部４６を形成するための突起部を精度良く形成することができる。これにより、第２部分４０に切込部４６を高精度に形成することができ、この結果、切込部４６内に配置される低屈折率部６０を高精度に形成することができる。
【００６７】
次に、このような第２部分４０に積層され、当該第２部分４０との間にレンズ面２１を形成する第１部分３０について説明する。図２に示すように、第１部分３０は、パネル部材１０の表面１０ａをなす第１面３０ａと、当該第１面３０ａと対向する第２面３０ｂと、を有している。このうち、第１部分３０の第２面３０ｂは、第２部分４０の各凸部４２を覆っている。したがって、第１部分３０の第２面３０ｂは、第２部分４０の凸部４２と相補的な形状をもつ凹部３３を含んでいる。さらに、第１部分３０は、隣り合う２つの凸部４２の間となる谷部領域Ｖにも位置し、当該谷部領域Ｖを埋めている。これにより、谷部領域Ｖに異物が堆積することを有効に抑制することができる。
【００６８】
本実施の形態では、第１部分３０の屈折率は、第２部分４０の屈折率とは異なっている。このため、第１部分３０の凹部３３と第２部分４０の凸部４２との界面に屈折率差が生じ、レンズ面２１が形成される。本実施の形態の第１部分３０の屈折率は、第２部分４０の屈折率よりも低い。このため、レンズ面２１は、第２部分４０側から第１部分３０側に向かって凸となる凸レンズとして機能し、第１角度範囲ＡＲ１及び第２角度範囲ＡＲ２からパネル部材１０に入射する光に対して、集光機能を発揮することができる。
【００６９】
上述のように、本実施の形態のパネル部材１０において、第１角度範囲ＡＲ１及び第２角度範囲ＡＲ２が広角化されていることから、第１部分３０には、広い角度範囲から光が入射する。このため、第１部分３０に入射する光の入射角度によっては光の反射損失がかなり大きくなる。そこで、所望の方向から入射する光の反射損失を低減すべく、第１部分３０の第１面３０ａに、パネル部材１０のパネル面に対して傾斜した傾斜面３１が形成されている。傾斜面３１によれば、傾斜面３１の正面方向から入射する光の入射角度を小さくすることができるため、傾斜面３１の正面方向から入射する光の第１部分３０での反射損失を低減することができる。
【００７０】
本実施の形態の第１部分３０の第１面３０ａは、複数の傾斜面３１と、隣り合う２つの傾斜面３１を接続する接続面３２と、を含んでいる。複数の傾斜面３１と複数の接続面３２とは、レンズ面２１に対応して、レンズ面２１の配列方向である第１軸方向ｄ１に交互に並べられている。複数の傾斜面３１は、当該傾斜面３１に対応する一つのレンズ面２１に対向して位置している。もっとも、各傾斜面３１は、１つのレンズ面２１に対応する例に限られず、複数のレンズ面２１に対応していてもよい。また、本実施の形態では、各傾斜面３１は、対応するレンズ面２１と法線方向ｎｄに沿って少なくとも部分的に対面している。さらに、各傾斜面３１は、光学機能面１２に対応して、レンズ面２１の配列方向である第１軸方向ｄ１と交差する方向、より厳密には、第１軸方向ｄ１と直交する第２軸方向ｄ２に直線状に延びている。なお、本実施の形態において、複数の傾斜面３１は、互いに同一に構成されている。
【００７１】
各傾斜面３１は、パネル部材１０のパネル面、言い換えると、レンズ面２１の光軸ｏｄに垂直な面に対して傾斜し、パネル部材１０の法線方向ｎｄに対しても傾斜している。すなわち、各傾斜面３１は、パネル部材１０のパネル面及び法線方向ｎｄのいずれとも非平行になっている。
【００７２】
傾斜面３１は、パネル部材１０のパネル面に対して第２光学機能面１２とは反対側に傾斜している。上述のように、各光学機能面１２は、一端部１２ａが他端部１２ｂよりもパネル部材１０の法線方向ｎｄにおいてレンズ面２１に近接するように、パネル部材１０のパネル面に対して傾斜している。したがって、レンズ面２１を間に挟んで第２光学機能面１２と対向する傾斜面３１は、第１軸方向ｄ１において一側に位置する一端部３１ａが、第１軸方向ｄ１において他側に位置する他端部３１ｂよりも、パネル部材１０の法線方向ｎｄにおいてレンズ面２１に近接するように、パネル部材１０のパネル面に対して傾斜している。
【００７３】
とりわけ、傾斜面３１と周囲の空気層との界面における反射損失を低減させる観点から、図２に示す主切断面において、傾斜面３１は、第１軸方向ｄ１における一側から他側に向けて、段階的又は連続的に、パネル部材１０の法線方向ｎｄに沿って第２部分４０の本体部４５から離間していくことが好ましい。図示された例において、傾斜面３１は平面として形成されている。そして、図２に示された太陽電池複合体の主切断面において、傾斜面３１は、第１軸方向ｄ１における一側から他側に向けて、連続的に一定の傾斜の程度で、パネル部材１０の法線方向ｎｄに沿って本体部４５から離間していく。
【００７４】
図示された実施の形態では、図２に示された太陽電池複合体の主切断面において、各傾斜面３１の一端部３１ａは、当該傾斜面３１に対応するレンズ面２１と一側で隣り合うレンズ面２１の他側の基端部２２ｂと、第１軸方向ｄ１において同一位置に位置している。また、図２に示された太陽電池複合体の主切断面において、各傾斜面３１の他端部３１ｂは、当該傾斜面３１に対応するレンズ面２１の他側の基端部２２ｂと第１軸方向ｄ１において同一位置に位置している。この場合、これらの端部７１ａ、７１ｂを接続する接続面３２は、第１軸方向ｄ１に直交する方向に平行なパネル部材１０の法線方向ｎｄに沿って位置することになる。
【００７５】
上述のように、傾斜面３１は、パネル部材１０のパネル面に対して鋭角をなしていることから、傾斜面３１がパネル部材１０のパネル面に対してなす角度θ５は、当該傾斜面３１と隣り合う接続面３２がパネル部材１０のパネル面に対してなす角度θ６よりも小さくなる。ただし、接続面３２は、パネル部材１０の法線方向ｎｄに沿った例に限定されず、パネル部材１０の法線方向ｎｄに対して傾斜していてもよい。一例として、傾斜面３１がパネル部材１０のパネル面に対してなす角度θ５は、２°以上４０°以下程度に設定され、接続面３２がパネル部材１０のパネル面に対してなす角度θ６は、７０°以上１１０°以下程度に設定される。
【００７６】
また、図２に示す主切断面において、傾斜面３１は、当該傾斜面３１と隣り合う接続面３２よりも長くなっている。したがって、第１部分３０の第１面３０ａに占める傾斜面３１の割合は、第１部分３０の第１面３０ａに占める接続面３２の割合よりも大きい。
【００７７】
次に、上述してきたパネル部材１０の製造方法の一例について、主として図７〜図１０を参照しながら、説明する。
【００７８】
まず、図７に示すように、透明樹脂を成型することにより、成型物９０を作製する。成型は、熱溶融押出加工や射出成型等を採用することができる。図７に示すように、得られた成型物９０には、上述した第２部分４０の第１光学機能面１１側を向く面となるべき面に、切込部４６が形成されている。また、成型物９０には、多数の凸部４２が賦型されている。
【００７９】
次に、図８に示すように、成型物９０の切込部４６内に、第２光学機能面１２としての表示面を形成する。一例として、インクジェット印刷によって、成型物９０の切込部４６内に、表示対象１３を形成する。その後、図９に示すように、成型物９０の凸部４２が形成された面に対向して傾斜面３１を賦型するための成形型９５を配置して、当該成形型９５と成型物９０との間に透明樹脂９１を流し込む。透明樹脂９１が硬化すると、成型物９０の各凸部４２を覆うようにして第１部分３０が成型物９０に積層され、第１部分３０の成型物９０とは反対側を向く第１面３０ａに、複数の傾斜面３１が賦型される。これにより、光制御シート２０が得られる。
【００８０】
次に、図１０に示すように、光制御シート２０の切込部４６が形成された面側に、太陽電池パネル５０を接合させる。これにより、太陽電池パネル５０の入光面５０ａをなす第１光学機能面１１を形成することができる。また、光制御シート２０の切込部４６を太陽電池パネル５０で覆うことにより、切込部４６内に空気からなる低屈折率部６０を設けることができる。なお、低屈折率部６０が第２部分４０をなす材料よりも屈折率の低い樹脂材料にて構成される場合には、第２光学機能面１２が形成された切込部４６に、低屈折率部６０をなす材料を充填すればよい。したがって、切込部４６内に空気からなる低屈折率部６０を設けることにより、切込部４６を他の材料で埋める必要がなくなるため、パネル部材１０を効率良く作製することができる。このようにして、上述のパネル部材１０が得られる。
【００８１】
次に、主として、図５及び図６を参照しながら、パネル部材１０の作用について説明する。パネル部材１０は、例えば、レンズ面２１の配列方向である第１軸方向ｄ１が鉛直方向に沿うようにして、配置される。また、第２光学機能面１２の第１軸方向ｄ１における一側に位置する一端部１２ａが、鉛直方向における上側に位置し、第２光学機能面１２の第１軸方向ｄ１における他側に位置する他端部１２ｂが、鉛直方向における下側に位置するように、パネル部材１０が配置される。
【００８２】
パネル部材１０の観察者側には、第１軸方向ｄ１に配列された複数のレンズ面２１が設けられている。レンズ面２１は、パネル部材１０に入射する光またはパネル部材１０から出射する光に対してレンズ機能を発揮して、当該光の進行方向を調整する。レンズ面２１は、第１角度範囲ＡＲ１内の方向からパネル部材１０に入射した光を、直接的にあるいは低屈折率部６０を利用して第１光学機能面１１に導き、第２角度範囲ＡＲ２内の方向からパネル部材１０に入射した光を第２光学機能面１２に導く。言い換えると、レンズ面２１は、第１光学機能面１１からの光を屈折させて第１角度範囲ＡＲ１内の方向へパネル部材１０から出射させ、第２光学機能面１２からの光を屈折させて第２角度範囲ＡＲ２内の方向へパネル部材１０から出射させる。したがって、第１光学機能面１１は、第１角度範囲ＡＲ１からパネル部材１０へ入射する光に対して、或いは、第１角度範囲ＡＲ１へ向けてパネル部材１０から出射する光に対して何らかの光学機能を発揮することができる。また、第２光学機能面１２は、第２角度範囲ＡＲ２からパネル部材１０へ入射する光に対して、或いは、第２角度範囲ＡＲ２へ向けてパネル部材１０から出射する光に対して何らかの光学機能を発揮することができる。
【００８３】
ただし、上述のように、パネル部材１０の入光側の面となる第１部分３０の第１面３０ａには、パネル部材１０のパネル面に対して第２光学機能面１２とは反対側に傾斜した複数の傾斜面３１が形成されている。したがって、第１角度範囲ＡＲ１内の方向からパネル部材１０に入射する光、及び、第２角度範囲ＡＲ２内の方向からパネル部材１０に入射する光は、典型的には傾斜面３１にて屈折した後レンズ面２１に入射する。つまり、第１角度範囲ＡＲ１内の方向からパネル部材１０に入射する光がレンズ面２１に入射する角度範囲は、傾斜面３１における屈折を考慮することになる。同様に、第２角度範囲ＡＲ２内の方向からパネル部材１０に入射する光がレンズ面２１に入射する角度範囲は、傾斜面３１における屈折を考慮することになる。しかしながら、以下の説明では、理解を容易にすべく、パネル部材１０に入射する光の傾斜面３１における屈折については特に言及しないこととする。
【００８４】
本実施の形態では、第１光学機能面１１が、太陽電池パネル５０の入光面５０ａをなしている。したがって、広い角度範囲から入射する光を第１光学機能面１１に導いて、太陽電池パネル５０での発電に利用することが好ましい。とりわけ、太陽光は、時間帯や季節に応じて位置を変化させる。パネル部材１０では、このように時間帯や季節に応じて入射方向を変化させる太陽光を第１光学機能面１１に導くことができれば好ましい。すなわち、入射方向を変化させる太陽光を高効率で取り込むにあたり、上述した第１角度範囲ＡＲ１が広角化されていることが好ましい。
【００８５】
下記の表１は、世界の幾つかの国の主要な都市における季節ごとの南中高度（°）を示している。第１光学機能面１１が太陽電池パネル５０の入光面５０ａとして機能している場合、使用が想定される国の主要な都市における春分秋分の南中高度が第１角度範囲ＡＲ１に含まれることが好ましい。その国で有効に使用できる可能性が高いからである。例えば、使用されることが想定される国が日本の場合は５４°から５６°までの高度が第１角度範囲ＡＲ１に含まれるようにすればよい。さらに、４９°から６１°までの高度が第１角度範囲ＡＲ１に含まれるようにすれば、世界の多くの国で有効に使用できる可能性が高いため、好ましい。また、使用が想定される国の主要な都市における夏至の南中高度から冬至の南中高度までが第１角度範囲ＡＲ１に含まれることがさらに好ましい。その国で一年を通して有効に使用できる可能性が高いからである。例えば、使用されることが想定される国が日本の場合は３１°から７９°までの高度が第１角度範囲ＡＲ１に含まれるようにすればよい。さらに、２５°から８４°までの高度が第１角度範囲ＡＲ１に含まれるようにすれば、世界の多くの国で有効に使用できる可能性が高いため、好ましい。なお、所望の高度が第１角度範囲ＡＲ１に含まれることを容易にするために、第１角度範囲ＡＲ１の角度範囲が４５°程度以上連続していることが好ましい。もっとも、パネル部材１０を傾けて配置することによって、所望の高度を第１角度範囲ＡＲ１に含まれるようにすることも可能である。一方、第１角度範囲ＡＲ１の角度範囲の上限については、第２角度範囲ＡＲ２とのバランスで適宜設定すればよいが、１３５°程度未満とすることによって、後述のように、本実施の形態のパネル部材１０の特長をより発揮させることができる。
【表１】
2015197455.tif 000003
【００８６】
一方、本実施の形態において、第２光学機能面１２は、表示対象１３を表示するための表示面となっている。したがって、第２角度範囲ＡＲ２から第２光学機能面１２に形成された表示対象１３を観察することができる。この用途において、第２角度範囲ＡＲ２は、表示対象１３を観察し得る視野角となる。一般的に、視野角である第２角度範囲ＡＲ２は、広角化されていることが好ましい。図１７を参照して説明した従来技術のように、３０°程度の視野角が間をあけて繰り返し現れる表示媒体では、表示される表示対象の視認性が著しく低下し、情報表示機能を有効に発揮することができない。したがって、本実施の形態のパネル部材１０の特長をより発揮させるために、第２角度範囲ＡＲ２の視野角が４５°程度以上連続していることが好ましい。なお、第２角度範囲ＡＲ２の視野角の上限については、第１角度範囲ＡＲ１とのバランスで適宜設定すればよいが、１３５°程度未満になるケースが多いと考えられる。
【００８７】
また、表示対象１３を観察している際に、表示対象１３とともに太陽電池パネル５０が観察されると、表示対象１３の視認性や意匠性を著しく害することになる。したがって、表示対象１３が付与された第２光学機能面１２が観察され得る第２角度範囲ＡＲ２は、太陽電池パネル５０が観察されるようになる第１角度範囲ＡＲ１と区分けされていること、すなわち重なり合っていないことが好ましい。
【００８８】
一方、上述してきた本実施の形態によるパネル部材１０は、第１軸方向ｄ１に配列された複数のレンズ面２１と、各レンズ面２１に対向して位置している第１光学機能面１１と、第１軸方向ｄ１に配列されてレンズ面２１に対向して位置している第２光学機能面１２と、を有している。そして、第２光学機能面１２は、パネル部材１０の法線方向ｎｄにおいて、レンズ面２１と第１光学機能面１１との間に位置し、且つ、第１光学機能面１１に対して傾斜している。とりわけ、第２光学機能面１２は、レンズ面２１の光軸ｏｄに直交する方向に対して傾斜して広がっている。その一方で、第１光学機能面１１は、レンズ面２１の光軸ｏｄに直交する方向に広がっている。
【００８９】
このようなパネル部材１０では、図５によく示されているように、傾斜した第２光学機能面１２が、当該第２光学機能面１２の正面方向から向かってくる光Ｌ４２、Ｌ４３、Ｌ４４を効率的に受光することが可能となる。図５に示す例では、第２光学機能面１２がレンズ面２１の光軸ｏｄに対して第１軸方向ｄ１における一側に傾斜しているため、当該光軸ｏｄに対して第１軸方向ｄ１における他側に傾斜した方向からレンズ面２１に入射する光Ｌ４２、Ｌ４３、Ｌ４４、を効率的に受光することが可能となる。図１７を参照して説明した従来例では、実用上選択可能な樹脂材料の屈折率に起因して、レンズ面１２１の光軸に対して３０°程度以上傾斜した方向からの光Ｌ５５３、Ｌ５５４は、当該レンズ面１２１でのレンズ機能によって大きく進行方向を曲げられることなく、結果として、当該レンズ面１２１以外のレンズ面に対面する光学機能面１１１、１１２に入射していた。その一方で、本実施の形態によれば、図５に示すように、光軸ｏｄに対して第１軸方向ｄ１における他側に大きく傾斜した方向からレンズ面２１に入射する光Ｌ４４も、入射したレンズ面２１に対向する第２光学機能面１２にて受光されるようになる。図５に点線で示すように、この光Ｌ４４は、仮に第２光学機能面１２が第１光学機能面１１と同一面上に交互に並べられていた場合、入射したレンズ面２１とは異なるレンズ面に対面する領域に進み、従来技術で説明した不具合を生じさせる。
【００９０】
すなわち、第２光学機能面１２をパネル部材１０のパネル面に対して傾斜させることにより、第２光学機能面１２に導かれるようになるパネル部材１０への入射方向の角度範囲である第２角度範囲ＡＲ２、言い換えると、第２光学機能面１２からの光の出射方向の角度範囲である第２角度範囲ＡＲ２を、図１７に示された従来例と比較して、高い自由度で調整することができる。とりわけ、第２光学機能面１２は、第１光学機能面１１よりも凸部４２に接近した切込部４６内で第１光学機能面１１に対して傾斜している。これにより、第２光学機能面１２が第１光学機能面１１と同一面上に交互に並べられた図１７に示す従来のパネル部材よりも、光軸ｏｄに対して傾斜した、第２光学機能面１２の正面方向から向かってくる光Ｌ４２、Ｌ４３、Ｌ４４を第２光学機能面１２にて有効に受光することが可能となる。この結果、第２光学機能面１２は、図１７に示された従来例よりも、光軸ｏｄに対して傾斜した広範な方向から向かってくる光Ｌ４２、Ｌ４３、Ｌ４４を受光することが可能となり、第２角度範囲ＡＲ２を広角化させることができる。
【００９１】
また、図６に示すように、第２光学機能面１２は、パネル部材１０の法線方向ｎｄにおいて、レンズ面２１と第１光学機能面１１との間に位置している。そして、傾斜した第２光学機能面１２のレンズ面２１とは反対側となる位置にも、第１光学機能面１１が配置されている。図示された例では、第１光学機能面１１は、パネル部材１０の法線方向ｎｄに沿って各レンズ面２１に対面する全領域に、延び広がっている。このように広範囲に広がる第１光学機能面１１によって、広い角度範囲からパネル部材１０へ入射する光を受光することが可能となる。
【００９２】
また、第２光学機能面１２に対してなす角度がより小さい方向から第２部分４０内を進行する光Ｌ５２、Ｌ５３、Ｌ５４ほど、第２光学機能面１２に受光され難い。このことから、傾斜した第２光学機能面１２よりも裏面１０ｂ側に位置する第１光学機能面１１は、図６に示すように、第２光学機能面１２で効率的に受光される光Ｌ４２、Ｌ４３、Ｌ４４（図５参照）とは逆側に傾斜した光Ｌ５２、Ｌ５３、Ｌ５４を効率的に受光することが可能となる。つまり、第１軸方向ｄ１において他側に進みながらレンズ面２１へ入射する光、図示する例では、鉛直方向における下方に進みながらレンズ面２１へ入射する光Ｌ５２、Ｌ５３、Ｌ５４を効率的に受光することが可能となる。
【００９３】
ただし、第１軸方向ｄ１において他側に進みながらレンズ面２１へ入射する光Ｌ５４であっても、パネル部材１０の法線方向ｎｄに対してなす角度が大きい場合、レンズ面２１にて屈折されて、当該レンズ面２１と隣り合うレンズ面２１に対面する第２光学機能面１２に、パネル部材１０の裏面１０ｂ側から向かっていくこともある。上述のように、本実施の形態では、このような光Ｌ５４をも第１光学機能面１１に導くことを可能にするため、第２光学機能面１２が配置された切込部４６内に低屈折率部６０が設けられている。このため、図６に示すように、第２光学機能面１２に裏面１０ｂ側から向かっていく光Ｌ５４は、低屈折率部６０の入光面６１と第２部分４０との界面で、当該光Ｌ５４の進行方向がパネル部材１０の法線方向ｎｄに対してなす角度が小さくなるように、曲げられる。これにより、パネル部材１０の法線方向ｎｄに対して第１軸方向ｄ１における一側に大きく傾斜した方向からレンズ面２１に入射した光Ｌ５４であっても、第１光学機能面１１に導くことができる。図６から理解されるように、この光Ｌ５４は、仮に第２光学機能面１２が第１光学機能面１１と同一面上に交互に並べられていた場合、入射したレンズ面２１とは異なるレンズ面に対面する領域に進み、従来技術で説明した不具合を生じさせる。
【００９４】
すなわち、レンズ面２１と第１光学機能面１１との間の領域で第２光学機能面１２を傾斜させ、第２光学機能面１２が配置された切込部４６内に低屈折率部６０を設けることにより、第１光学機能面１１に導かれるようになるパネル部材１０への入射方向の角度範囲である第１角度範囲ＡＲ１、言い換えると、第１光学機能面１１からの光の出射方向の角度範囲である第１角度範囲ＡＲ１を、図１７に示された従来例と比較して、高い自由度で調整することができ、さらには格段に広角化させることもできる。
【００９５】
このように、第１角度範囲ＡＲ１及び第２角度範囲ＡＲ２が広角化されていることから、第１部分３０に入射する光の入射方向も広範になる。このため、第１部分３０に入射する光の入射角度によっては光の反射損失がかなり大きくなることから、所望の方向から入射する光の反射損失を低減すべく、第１部分３０の第１面３０ａに、パネル部材１０のパネル面に対して傾斜した傾斜面３１が形成されている。傾斜面３１によれば、傾斜面３１の正面方向から入射する光の入射角度を小さくすることができるため、傾斜面３１の正面方向から入射する光の第１部分３０での反射損失を低減することができる。
【００９６】
本実施の形態では、傾斜面３１は、パネル部材１０のパネル面に対して第２光学機能面１２とは反対側に傾斜している。このようなパネル部材１０では、図６によく示されているように、傾斜した傾斜面３１は、第２光学機能面１２に対してなす角度が小さい方向からパネル部材１０に入射する光Ｌ５２、Ｌ５３、Ｌ５４の入射角度を小さくすることができ、当該光の反射損失を低減することが可能となる。図６に示す例では、第２光学機能面１２がレンズ面２１の光軸ｏｄに対して第１軸方向ｄ１における一側に傾斜しているため、傾斜面３１は、レンズ面２１の光軸ｏｄに対して第１軸方向ｄ１における一側に傾斜した方向からパネル部材１０に入射する光Ｌ５２、Ｌ５３、Ｌ５４の入射角度を小さくさせて当該光の反射損失を低減することが可能となる。すなわち、傾斜面３１は、第１光学機能面１１での光学機能が発揮される方向の角度範囲である第１角度範囲ＡＲ１からパネル部材１０に入射する光Ｌ５２、Ｌ５３、Ｌ５４の入射角度を小さくさせて当該光の反射損失を低減することが可能となる。
【００９７】
以上のように、本実施の形態によれば、第１部分３０と、第１部分３０に積層され、第１部分３０との間に第１軸方向ｄ１に並べられた複数のレンズ面２１を形成する第２部分４０と、第２部分４０を基準として第１部分３０とは反対側に設けられ、第２部分４０に対向して位置する第１光学機能面１１と、第１軸方向ｄ１に配列され、複数のレンズ面２１と第１光学機能面１１との間に位置している複数の第２光学機能面１２と、を備え、各第２光学機能面１２は、第１光学機能面１１に対して傾斜し、レンズ面２１は、或る方向から入射した光Ｌ２２、Ｌ５２〜Ｌ５４を第１光学機能面１１に導き、前記或る方向とは異なる別の方向から入射した光Ｌ２３、Ｌ４２〜Ｌ４４を第２光学機能面１２に導く。このようなパネル部材１０によれば、第２光学機能面１２が第１光学機能面１１に対して傾斜しているため、傾斜した第２光学機能面１２は、正面方向から入射する光Ｌ２３、Ｌ４２〜Ｌ４４を、有効に受光し易くなる。そして、レンズ面２１は、レンズ面の集光作用によって、広範囲な角度範囲ＡＲ２内の方向から当該レンズ面２１に入射した光Ｌ２３、Ｌ４２〜Ｌ４４を、第２光学機能面１２に集める。一方、傾斜した第２光学機能面１２に遮られずに第１光学機能面１１に向かう光Ｌ２２、Ｌ５２、Ｌ５３は、第２光学機能面１２に受光され易い光Ｌ２３、Ｌ４２〜Ｌ４４とは逆側に傾斜した方向からレンズ面２１に入射する光Ｌ２２、Ｌ５２、Ｌ５３となる。そして、レンズ面２１は、レンズ面の集光作用によって、広範囲な角度範囲ＡＲ１内の方向から当該レンズ面２１に入射した光Ｌ２２、Ｌ５２、Ｌ５３を、第１光学機能面１１に集める。このように、第２光学機能面１２を第１光学機能面１１に対して傾斜させることにより、第１光学機能面１１での光学機能が発揮される方向の角度範囲である第１角度範囲ＡＲ１および第２光学機能面１２での光学機能が発揮される方向の角度範囲である第２角度範囲ＡＲ２を、高い自由度で調整することが可能となる。また、第１角度範囲ＡＲ１及び第２角度範囲ＡＲ２を効果的に広角化させることも可能となる。さらに、第１角度範囲ＡＲ１及び第２角度範囲ＡＲ２の調整又は広角化は、一般的に高価となる高屈折率材料を第１部分３０及び第２部分４０に用いることを必要とせず、従来と同様の材料を使用すればよい。すなわち、材料面からのコスト上昇を来すことなく、第１角度範囲ＡＲ１及び第２角度範囲ＡＲ２の調整又は広角化を行うことができる。
【００９８】
また、本実施の形態によれば、第２部分４０の第１光学機能面１１側を向く面に各レンズ面２１に対向するようにして複数の切込部４６が形成され、各切込部４６内に第２部分４０よりも屈折率の低い低屈折率部６０が配置され、各第２光学機能面１２は、各々に対応する低屈折率部６０と第２部分４０との間に設けられており、レンズ面２１は、前記或る方向及び前記別の方向とは異なる更なる別の方向から入射した光Ｌ２５、Ｌ５４を低屈折率部６０に導き、低屈折率部６０は、第２部分４０との界面でレンズ面２１からの光Ｌ２５、Ｌ５４を、当該光Ｌ２５、Ｌ５４の進行方向がパネル部材１０の法線方向ｎｄに対してなす角度が小さくなるように、偏向させる。このような低屈折率部６０によれば、パネル部材１０の裏面１０ｂ側から第２光学機能面１２に向かうように第２部分４０内を進行する光Ｌ２５、Ｌ５４を、第２部分４０との界面で、当該光Ｌ２５、Ｌ５４の進行方向がパネル部材１０の法線方向ｎｄに対してなす角度が小さくなるように、偏向させることができる。これにより、期待された光学作用が及ぼされ得ない、パネル部材１０の裏面１０ｂ側から第２光学機能面１２に向かう光Ｌ２５、Ｌ５４であっても、第１光学機能面１１に導くことができるため、第１角度範囲ＡＲ１をさらに広角化させることができる。
【００９９】
とりわけ、本実施の形態によれば、第１光学機能面１１が太陽電池パネル５０の入光面５０ａをなしている。上述のように、本実施の形態によれば、広い第１角度範囲ＡＲ１内で、第１光学機能面１１からの光学機能が発揮されるようになるため、時間帯や季節に応じて入射方向を変化させる太陽光を効率的に受光して、太陽電池パネル５０での発電に利用することが可能となる。
【０１００】
とりわけ、本実施の形態によれば、第２光学機能面１２は、表示対象１３を表示するための表示面である。上述のように、本実施の形態によれば、広い第２角度範囲ＡＲ２内で、第２光学機能面１２からの光学機能が発揮されるようになるため、広い視野角から安定して第２光学機能面１２に付与された表示対象１３を観察することができる。したがって、観察者は、優れた視認性で表示対象１３を観察することができ、且つ、優れた意匠性で表示対象１３を表示することができる。
【０１０１】
また、本実施の形態では、図２に示すように、各第２光学機能面１２の第１軸方向ｄ１において一側に位置する一端部１２ａは、当該第２光学機能面１２に対応するレンズ面２１の先端部２２ａよりも第１軸方向ｄ１において一側に位置し、各第２光学機能面１２は、第１軸方向ｄ１において一側に位置する一端部１２ａが、第１軸方向ｄ１において他側に位置する他端部１２ｂよりも、パネル部材１０の法線方向ｎｄにおいてレンズ面２１に近接するように、第１光学機能面１１に対して傾斜している。このような形態によれば、第２光学機能面１２は、当該第２光学機能面１２の正面方向から向かってくる光Ｌ２３、Ｌ４２〜Ｌ４４を効率的に受光することが可能なため、パネル部材１０の法線方向ｎｄに対して第１軸方向ｄ１における他側に傾斜した方向からの光、言い換えると第１軸方向ｄ１において一側に進みながらレンズ面２１へ入射する光Ｌ２３、Ｌ４２〜Ｌ４４が、第２光学機能面１２に入射しやすくなる。言い換えると、第２光学機能面１２からの光Ｌ２３、Ｌ４２〜Ｌ４４は、パネル部材１０の法線方向ｎｄに対して第１軸方向ｄ１における他側に傾斜した方向へ出射しやすくなる。一方、パネル部材１０の法線方向ｎｄに対して第１軸方向ｄ１における一側に傾斜した方向からの光Ｌ２２、Ｌ５２〜Ｌ５４は、第２光学機能面１２となす角度が小さい方向から第２部分４０内を進行するため、第２光学機能面１２に受光され難い。この第２光学機能面１２にて受光され難い、パネル部材１０の法線方向ｎｄに対して第１軸方向ｄ１における一側に傾斜した方向からの光、言い換えると第１軸方向ｄ１において他側に進みながらレンズ面２１へ入射する光Ｌ２２、Ｌ５２〜Ｌ５４は、第１光学機能面１１に入射しやすくなる。言い換えると、第１光学機能面１１からの光Ｌ２２、Ｌ５２〜Ｌ５４は、パネル部材１０の法線方向ｎｄに対して第１軸方向ｄ１における一側に傾斜した方向へ出射しやすくなる。
【０１０２】
つまり、上記の形態によれば、第１光学機能面１１からの光学機能が発揮されるようになる方向の角度範囲である第１角度範囲ＡＲ１と、第２光学機能面１２からの光学機能が発揮されるようになる方向の角度範囲である第２角度範囲ＡＲ２とが、区分けされやすくなる。言い換えると、第１角度範囲ＡＲ１と第２角度範囲ＡＲ２とが、重なり合いにくくなる。これにより、第１角度範囲ＡＲ１及び第２角度範囲ＡＲ２をそれぞれ有効に広角化させることができる。
【０１０３】
このように第１角度範囲ＡＲ１と第２角度範囲ＡＲ２との重なり合いが少なくなれば、さらには第１角度範囲ＡＲ１と第２角度範囲ＡＲ２とを切り分けることが可能となれば、第１光学機能面１１での光学機能および第２光学機能面１２での光学機能が、互いに悪影響を及ぼすことなく、より有効に発揮されるようになる。本実施の形態においては、第２光学機能面１２に付与された表示対象１３を観察している際に、第１光学機能面１１に重ねられた太陽電池パネル５０が表示対象１３とともに観察されることを効果的に防止することが可能となる。この場合、表示対象１３の視認性や表示対象１３の意匠性を改善することができる。
【０１０４】
とりわけ、本実施の形態によるパネル部材１０では、第１光学機能面１１に導かれるようになるパネル部材１０への入射方向の角度範囲である第１角度範囲ＡＲ１を鉛直方向における上側に傾斜した方向に設定し、第２光学機能面１２に導かれるようになるパネル部材１０への入射方向の角度範囲である第２角度範囲ＡＲ２を鉛直方向における下側に傾斜した方向に設定している。この場合、典型的な利用として想定される表示板としての用途においてパネル部材１０を目線よりも高い位置に設置する場合に有効である。観察者は、鉛直方向における上側に見上げながらパネル部材１０を観察するため、第２角度範囲ＡＲ２から第２光学機能面１２に付与された表示対象１３を観察することができる。一方、太陽光は、時間帯や季節に応じて入射方向が変化するが、鉛直方向における下側に傾斜した方向あるいは略水平方向に進みながらレンズ面２１に入射する。このため、太陽光は、時間帯や季節に応じて入射方向が変化しても、第１角度範囲ＡＲ１からレンズ面２１に入射して第１光学機能面１１に向かうことができる。したがって、このような形態によれば、太陽光の受光および表示対象１３の表示を効果的に両立させることができる。
【０１０５】
加えて、本実施の形態によれば、前記主切断面において、第２光学機能面１２の第１軸方向ｄ１における他側の他端部１２ｂは、第１光学機能面１１に接続している。このような形態によれば、第２角度範囲ＡＲ２からパネル部材１０に入射する光が、第２光学機能面１２の他端部１２ｂと第１光学機能面１１との間を通過して第１光学機能面１１に到達してしまうことを防止することができる。このため、第１角度範囲ＡＲ１と第２角度範囲ＡＲ２とをよりはっきりと区分けすることに寄与する。
【０１０６】
また、本実施の形態によれば、低屈折率部６０は、空気からなる。この場合、低屈折率部６０の入光面６１と第２部分４０との界面で、大きな屈折率差を生じさせることができるため、レンズ面２１から低屈折率部６０に向かってくる光Ｌ２５、Ｌ５４を、当該光Ｌ２５、Ｌ５４の進行方向がパネル部材１０の法線方向ｎｄに対してなす角度が小さくなるように、大きく曲げることができる。これにより、パネル部材１０の法線方向ｎｄに対して第１軸方向ｄ１における一側に極めて大きく傾斜した方向からレンズ面２１に入射した光Ｌ２５、Ｌ５４であっても、第１光学機能面１１に効果的に導くことができる。この結果、第１光学機能面１１に導かれるようになるパネル部材１０への入射方向の角度範囲である第１角度範囲ＡＲ１、言い換えると、第１光学機能面１１からの光の出射方向の角度範囲である第１角度範囲ＡＲ１を、図１７に示された従来例と比較して、高い自由度で調整することができ、さらには格段に広角化させることもできる。
【０１０７】
また、本実施の形態によれば、第１部分３０と第２部分４０との間に第１軸方向ｄ１に並べられた複数のレンズ面２１が形成され、第１部分３０の屈折率は、第２部分４０の屈折率よりも低く、レンズ面２１は、第２部分４０側から第１部分３０側に向かって凸となる形状をもつ。このような形態によれば、レンズ面２１がパネル部材１０の表面１０ａに形成されるのではなく、第１部分３０と第２部分４０との間に形成されることから、隣り合うレンズ面２１の間の領域に異物が堆積することを防止することができる。また、レンズ面２１がパネル部材１０の表面１０ａに形成されるのではなく、第１部分３０と第２部分４０との間に形成されることから、レンズ面２１をキズや摩耗から保護することができる。とりわけ、本実施の形態のパネル部材１０は、屋外看板、道路情報掲示板、建築物の外壁面のような屋外での使用も想定される。このような異物の堆積しやすい用途において、本実施の形態のパネル部材１０は、効果的に適用され得る。このように、本実施の形態によるパネル部材１０は、実用性の面においても優れている。
【０１０８】
また、本実施の形態によれば、第１部分３０のレンズ面２１を形成した面３０ｂとは反対側の面３０ａに、パネル部材１０のパネル面に対して傾斜した傾斜面３１が形成されている。傾斜面３１によれば、傾斜面３１の正面方向から入射する光の入射角度を小さくすることができるため、傾斜面３１の正面方向から入射する光Ｌ２２、Ｌ５２〜Ｌ５４の第１部分３０での反射損失を低減することができる。
【０１０９】
また、本実施の形態によれば、傾斜面３１は、パネル部材１０のパネル面に対して第２光学機能面１２とは反対側に傾斜している。このような形態によれば、傾斜した傾斜面３１は、第２光学機能面１２に対してなす角度が小さい方向からパネル部材１０に入射する光Ｌ２２、Ｌ５２〜Ｌ５４の入射角度を小さくさせて当該光の反射損失を低減することが可能となる。また、上述のように、第２光学機能面１２に対してなす角度がより小さい方向からパネル部材１０に入射する光Ｌ２２、Ｌ５２〜Ｌ５４ほど、第２光学機能面１２に受光され難くなる一方で第１光学機能面１１に受光され易くなる。このため、傾斜面３１にて反射損失を低減された光Ｌ２２、Ｌ５２〜Ｌ５４は、主として第１光学機能面１１に入射する。したがって、傾斜面３１が、パネル部材１０のパネル面に対して第２光学機能面１２とは反対側に傾斜することにより、主として第１光学機能面１１に入射する光Ｌ２２、Ｌ５２〜Ｌ５４の反射損失を低減することが可能となる。
【０１１０】
また、本実施の形態によれば、第１部分３０のレンズ面２１を形成した面３０ａとは反対側の第２面３０ｂは、複数の傾斜面３１と、隣り合う２つの傾斜面３１を接続する接続面３２と、を含む。この場合、第１部分３０の第２面３０ｂに、１つの傾斜面が形成されている場合に比べて、第１部分３０の厚みを薄くすることができる。
【０１１１】
また、本実施の形態によれば、第１軸方向ｄ１及びパネル部材１０の法線方向ｎｄの両方に平行な断面において、傾斜面３１は、当該傾斜面３１と隣り合う接続面３２よりも長い。この場合、第１部分３０の第２面３０ｂに占める傾斜面３１の割合を高くすることができるため、所望の方向から入射する光Ｌ２２、Ｌ５２〜Ｌ５４の反射損失を低減する機能を有効に発揮することができる。
【０１１２】
また、本実施の形態によれば、傾斜面３１がパネル部材１０のパネル面に対してなす角度θ５は、当該傾斜面３１と隣り合う接続面３２がパネル部材１０のパネル面に対してなす角度θ６よりも小さい。このような形態によれば、傾斜面３１がパネル部材１０のパネル面に対してなす角度θ５を比較的小さくすることができる。とりわけ、傾斜面３１がパネル部材１０のパネル面に対して第２光学機能面１２とは反対側に傾斜している場合、傾斜した傾斜面３１は、第２光学機能面１２に対してなす角度が小さい方向からパネル部材１０に入射する光Ｌ２２、Ｌ５２〜Ｌ５４の入射角度を小さくさせて当該光の反射損失を低減する一方で、第２光学機能面１２に対してなす角度が大きい方向からパネル部材１０に入射する光Ｌ２３、Ｌ４２〜Ｌ４４の入射角度を大きく増大させることなく当該光の反射損失の増大を抑えることができる。このため、第１角度範囲ＡＲ１及び第２角度範囲ＡＲ２が広角化されていても、パネル部材１０に入射する光の反射損失をバランスよく調整することができる。
【０１１３】
また、本実施の形態によれば、傾斜面３１がパネル部材１０のパネル面に対してなす角度θ５は、当該傾斜面３１と隣り合う接続面３２がパネル部材１０のパネル面に対してなす角度θ６よりも小さい。このような形態によれば、傾斜面３１がパネル部材１０のパネル面に対してなす角度θ５を比較的小さくすることができる。とりわけ、傾斜面３１がパネル部材１０のパネル面に対して第２光学機能面１２とは反対側に傾斜している場合、傾斜した傾斜面３１は、第２光学機能面１２に対してなす角度が小さい方向からパネル部材１０に入射する光Ｌ２２、Ｌ５２〜Ｌ５４の入射角度を小さくさせて当該光の反射損失を低減する一方で、第２光学機能面１２に対してなす角度が大きい方向からパネル部材１０に入射する光Ｌ２３、Ｌ４２〜Ｌ４４の入射角度を大きく増大させることなく当該光の反射損失の増大を抑えることができる。このため、第１角度範囲ＡＲ１及び第２角度範囲ＡＲ２が広角化されていても、パネル部材１０に入射する光の反射損失をバランスよく調整することができる。
【０１１４】
また、本実施の形態によるパネル部材１０は、第１軸方向ｄ１における一側が鉛直方向における上側に位置し、第１軸方向ｄ１における他側が鉛直方向における下側に位置するように配置され、傾斜面３１は、第１軸方向ｄ１における一側から他側に向けて、パネル部材１０の法線方向ｎｄに沿って第２部分４０の本体部４５から離間していく。したがって、傾斜面３１は、鉛直方向における上側から下側に向けて、水平方向に沿って第２部分４０の本体部４５から離間していく。このような形態によれば、パネル部材１０の表面１０ａに堆積し得る異物や埃を下方に滑らせるように、傾斜面３１が作用する。このため、パネル部材１０の表面１０ａに異物や埃が堆積することを効果的に抑制することができる。
【０１１５】
さらに本実施の形態によれば、複数のレンズ面２１は、第１軸方向ｄ１に互いから離間して配置され、第１軸方向ｄ１に隣り合う二つのレンズ面２１の間に接続面２３が設けられている。接続面２３を設けることによって、法線方向ｎｄに対して大きく傾斜した方向に進む光に対する隣接レンズの「けられ」を少なくすることができる。
【０１１６】
とりわけ本実施の形態において、接続面２３は、パネル部材１０のパネル面に沿って延びている。また、第２光学機能面１２は、パネル部材１０のパネル面に沿って接続面２３からずれて配置されている。このような本実施の形態では、図２に示すように、接続面２３を介してパネル部材１０に入射する光Ｌ２６が、第１光学機能面１１に入射するようになる。したがって、これらの光Ｌ２６の方向にも、第１光学機能面１１が何らかの光学機能を発揮すること、例えば太陽電池パネル５０に当該光を取り込むことが可能となる。
【０１１７】
また、本実施の形態によれば、第１部分３０と、第１部分３０に積層され、第１部分３０との間に第１軸方向ｄ１に並べられた複数のレンズ面２１を形成する第２部分４０と、を備え、第１部分３０のレンズ面２１を形成した面３０ａとは反対側の面３０ａに、光制御シート２０のシート面に対して傾斜した複数の傾斜面３１が形成された光制御シート２０が提供される。このような光制御シート２０によれば、傾斜面３１の正面方向から入射する光の入射角度を小さくすることができるため、傾斜面３１の正面方向から入射する光Ｌ２２、Ｌ５２〜Ｌ５４の第１部分３０での反射損失を低減しながら、レンズ面２１に入射する光に対して、レンズの集光機能を発揮することができる。加えて、レンズ面２１がパネル部材１０の表面１０ａに形成されるのではなく、第１部分３０と第２部分４０との間に形成されることから、隣り合うレンズ面２１の間の領域に異物が堆積することを防止することができる。また、レンズ面２１がパネル部材１０の表面１０ａに形成されるのではなく、第１部分３０と第２部分４０との間に形成されることから、レンズ面２１をキズや摩耗から保護することもできる。したがって、本実施の形態による光制御シート２０は、実用性の面においても優れている。
【０１１８】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【０１１９】
上述した実施の形態では、図２に示すように、第１部分３０が、複数の傾斜面３１を含む第１面３０ａと、第２部分４０との間でレンズ面２１を形成する第２面３０ｂと、を含む単一の層からなる例を示したが、第１部分３０の層構成は、このような例に限定されない。また、第２部分４０が、複数の凸部４２と、複数の凸部４２が配置された本体部４５と、を含む単一の層からなる例を示したが、第２部分４０の層構成は、このような例に限定されない。図１１に、第１部分３０の層構成及び第２部分４０の層構成の他の例を示す。図１１に示す例では、第１部分３０は、複数の傾斜面３１が形成された第１層３５と、第１層３５と第２部分４０との間に配置され第２部分４０との間でレンズ面２１を形成する第２層３６と、を含んでいる。第１層３５は、第１部分３０の第１面３０ａをなし、パネル部材１０の表面１０ａを形成している。第２層３６は、第１部分３０の第２面３０ｂをなし、第２部分４０との間でレンズ面２１を形成している。
【０１２０】
第１層３５の屈折率は、第２層３６の屈折率と等しい、あるいは、第２層３６の屈折率よりも低いことが好ましい。第１層３５の屈折率が第２層３６の屈折率よりも低い場合、第２部分４０に近接して位置する層３５、３６ほど屈折率が大きくなり、屈折率差を徐々に変化させることができるため、パネル部材１０に入射する光の反射損失を効果的に低減することができる。
【０１２１】
他方で、第２部分４０は、複数の凸部４２を含むレンズ形成層４１と、複数の凸部４２が配置された本体部４５と、からなる。レンズ形成層４１の屈折率は、本体部４５の屈折率と等しい、あるいは、本体部４５の屈折率よりも高いことが好ましい。レンズ形成層４１の屈折率が本体部４５の屈折率よりも高い場合、第１部分３０の第２層３６との間の屈折率差を大きくすることができ、形成されるレンズ面２１のレンズ作用を効果的に発揮することに寄与する。
【０１２２】
また、上述した実施の形態では、図２に示すように、第１部分３０の屈折率が第２部分４０の屈折率よりも低く、レンズ面２１は、第２部分４０側から第１部分３０側に向かって凸となる形状をもつ例を示したが、レンズ面２１の形態は、このような例に限定されない。図１２に、レンズ面２１の他の例を示す。図１２に示す例では、第２部分４０の屈折率は、第１部分３０の屈折率よりも低く、レンズ面２１は、第１部分３０側から第２部分４０側に向かって凸となる形状をもつ。この場合、レンズ面２１がパネル部材１０の表面１０ａに形成されるのではなく、第１部分３０と第２部分４０との間に形成されることから、隣り合うレンズ面２１の間の領域に異物が堆積することを防止することができる。  また、レンズ面２１がパネル部材１０の表面１０ａに形成されるのではなく、第１部分３０と第２部分４０との間に形成されることから、レンズ面２１をキズや摩耗から保護することもできる。
【０１２３】
また、上述した実施の形態では、図２に示すように、パネル部材の主切断面において、第２光学機能面１２の他端部１２ｂが、多数のレンズ面２１の焦点ｆｐによって画成される仮想面上に位置した例を示したが、このような例に限定されない。第２光学機能面１２の他端部１２ｂは、多数のレンズ面２１の焦点ｆｐによって画成される仮想面上からずれて配置されていてもよい。とりわけ、第２光学機能面１２の他端部１２ｂが、多数のレンズ面２１の焦点ｆｐによって画成される仮想面上、あるいは、当該仮想面よりもレンズ面２１に近接した位置に配置されている場合、一端部１２ａ付近の表示と他端部１２ｂ付近の表示とが観察する角度によって反転して見えるおそれを防ぐことができる。
【０１２４】
また、上述した実施の形態において、第２光学機能面１２と重ねられるようにして反射面１５がさらに配置されていてもよい。図１３に、このような例が示されている。図１３に示すパネル部材１０において、第２光学機能面１２が、レンズ面２１の側を向き、反射面１５が、第１光学機能面１１の側を向いている。すなわち、各反射面１５は、対応する第２光学機能面１２と背合わせとなるようにして、配置されている。このような反射面１５は、一例として、高い反射率を有した材料からなる薄膜によって形成される。このような反射面１５によれば、パネル部材１０の法線方向ｎｄに対して第１軸方向ｄ１における一側に極めて大きく傾斜した方向から低屈折率部６０の入光面６１に入射した光Ｌ３３が、当該入光面６１にて第１光学機能面１１に向けて充分に偏向されなかった場合であっても、反射面１５で反射して第１光学機能面１１に向かうことができる。したがって、反射面１５を設けることにより、第１光学機能面１１に導かれる光の入射角度範囲に相当する第１角度範囲ＡＲ１をさらに広角化することができる。これにより、時間帯や季節に応じて入射方向を変化させる太陽光を、第１光学機能面１１によって効率的に受光して、太陽電池パネル５０での発電を効率良く行うことが可能となる。
【０１２５】
さらに、既に説明したように、第１光学機能面１１が、太陽電池パネル５０の入光面５０ａとして機能すること、或いは、第２光学機能面１２が、表示対象１３を表示する面として機能することは例示に過ぎない。一例として、第１光学機能面１１も、表示を行うための表示面として機能してもよい。この変形例では、第１方向ｄ１が水平方向と交差するようにして、パネル部材１０が配置され、第１光学機能面１１によって表示される表示対象と第２光学機能面１２によって表示される表示対象とが、水平面内で観察方向を変化させることにより、切り替わって観察されるようにしてもよい。このとき、第１光学機能面１１にディスプレイを重ね合わせることによって、第１光学機能面１１によって動く表示対象を表示し、第２光学機能面１２によって静止した表示対象１３を表示するようにしてもよい。別の一例として、第１光学機能面１１が表示対象１３を表示する面として機能し、第２光学機能面１２が太陽電池パネル５０の入光面５０ａとして機能するようにするようにしてもよい。それによって、傾いた第２光学機能面１２が上方から入射する太陽光を受けやすくなる。
【０１２６】
≪第２の実施の形態≫
次に、図１４〜図１６を参照して、本発明の第２の実施の形態について説明する。図１４は、本発明の第２の実施の形態によるパネル部材１０を示す縦断面図であり、図１５及び図１６は、パネル部材１０が発現する光学機能を説明するため図である。図１４〜図１６を参照して説明する第２の実施の形態は、第１光学機能面１１の配列及び低屈折率部６０が設けられていない点で異なるが、その他の構成は、第１の実施形態およびその変形例と同様に構成することができる。第２の実施の形態に関する以下の説明および以下の説明で用いる図面では、上述した第１の実施の形態およびその変形例と同様に構成され得る部分について、上述の第１の実施の形態およびその変形例における対応する部分に対して用いた符号と同一の符号を用いることとし、重複する説明を省略する。
【０１２７】
図１４に示すように、本実施の形態の第１光学機能面１１及び第２光学機能面１２は、第２部分４０内に配置されている。各第１光学機能面１１は、当該第１光学機能面１１に対応する一つのレンズ面２１に対向して配置され、各第２光学機能面１２も、当該第２光学機能面１２に対応する一つのレンズ面２１に対向して配置されている。各レンズ面２１に対応して配置された第２光学機能面１２は、当該レンズ面２１に対応して配置された第１光学機能面１１よりも、第１軸方向ｄ１における一側に配置されている。
【０１２８】
上述した第１の実施の形態と同様に、第２光学機能面１２は、第１軸方向ｄ１に配列され、パネル部材１０のパネル面に対して傾斜している。第２光学機能面１２は、第１軸方向ｄ１に配列され、パネル部材１０のパネル面に対して第１光学機能面１１とは異なる角度で傾斜している。第２光学機能面１２は、上述した第１の実施の形態と略同様に構成されるため、ここでは詳細な説明を省略する。
【０１２９】
一方、第２光学機能面１２とは異なる角度で傾斜した第１光学機能面１１は、対応するレンズ面２１と法線方向ｎｄに沿って少なくとも部分的に対面するようにして、配置されている。本実施の形態では、第１光学機能面１１は、レンズ面２１と同様に、配列方向である第１軸方向ｄ１と交差する方向、より厳密には、第１軸方向ｄ１と直交する第２軸方向ｄ２に直線状に延びている。なお、図示された例において、レンズ面２１に対応して多数設けられた第１光学機能面１１は、互いに同一に構成されている。
【０１３０】
上述のように、各第１光学機能面１１は、本体部４５のシート面、すなわち、パネル部材１０のパネル面に対して傾斜し、レンズ面２１の光軸ｏｄに平行な方向に対しても傾斜している。すなわち、各第１光学機能面１１は、本体部４５のシート面、及び、レンズ面２１の光軸ｏｄに平行な方向のいずれとも非平行になっている。このような第１光学機能面１１によれば、後述するように、第１光学機能面１１からの光学機能が発現されるようになる角度範囲である第１光学機能面１１を、高い自由度で調整することが可能となる。
【０１３１】
図１４に示すように、各第１光学機能面１１は、第１軸方向ｄ１において他側（下側）に位置する他端部１１ｂが、第１軸方向ｄ１において一側（上側）に位置する一端部１１ａよりも、パネル部材１０の法線方向ｎｄにおいてレンズ面２１に近接するように、パネル部材１０のパネル面に対して傾斜している。したがって、第１光学機能面１１の他端部１１ｂは、第１光学機能面１１の一端部１１ａよりも、パネル部材１０の法線方向ｎｄにおいてレンズ面２１に近接している。図１４から理解され得るように、このような第１光学機能面１１には、法線方向ｎｄに対して一側（上側）に傾斜した角度範囲からの光が、入射しやすくなる。したがって、第１光学機能面１１からの光学機能は、法線方向ｎｄに対して一側（上側）に傾斜した角度範囲に向けて、効果的に発揮されるようになる。
【０１３２】
このような傾向を強化する観点から、パネル部材の主切断面において、第１光学機能面１１は、第１軸方向ｄ１における他側（下側）から一側（上側）に向けて、段階的又は連続的に、パネル部材の法線方向ｎｄにおいてレンズ面２１から離間していくことが好ましい。図示された例において、第１光学機能面１１は平面として形成されている。そして、図１４に示されたパネル部材の主切断面において、第１光学機能面１１は、第１軸方向ｄ１における他側から一側に向けて、連続的に一定の傾斜の程度で、パネル部材の法線方向ｎｄに沿ってレンズ面２１から離間していく。このような第１光学機能面１１によれば、第１光学機能面１１からの光学機能は、法線方向ｎｄに対して一側に傾斜した角度範囲に向けて、効果的に発揮されるようになる。
【０１３３】
図示された実施の形態では、図１４に示されたパネル部材の主切断面において、第１光学機能面１１の第１軸方向ｄ１における一側（上側）の端部である一端部１１ａは、当該第１光学機能面１１に対応するレンズ面２１の先端部２２ａと、第１軸方向ｄ１において同一位置に位置している。また、図１４に示されたパネル部材の主切断面において、第１光学機能面１１の第１軸方向ｄ１における他側（下側）の端部である他端部１１ｂは、当該第１光学機能面１１に対応するレンズ面２１の第１軸方向ｄ１における他側の基端部２２ｂよりも、第１軸方向ｄ１において他側に位置している。
【０１３４】
図１４に示す第１光学機能面１１は、太陽電池パネル５０の入光面５０ａとして機能する。すなわち、第１角度範囲ＡＲ１からパネル部材１０へ入射する光は、入光面５０ａとしての第１光学機能面１１を介して太陽電池パネル５０へ入射し、発電に利用される。
【０１３５】
次に、第１光学機能面１１と第２光学機能面１２との配置関係について述べる。図１４に示すように、第１光学機能面１１の他端部１１ｂと、第２光学機能面１２の一端部１２ａと、の間の間隔は、第１光学機能面１１の一端部１１ａと、第２光学機能面１２の他端部１２ｂと、の間の間隔よりも、広くなっている。さらに、第１光学機能面１１上の各位置と、対応する第２光学機能面１２との間の間隔は、段階的又は連続的に変化していく。本実施の形態では、第１光学機能面１１上の各位置と、対応する第２光学機能面１２との第１軸方向ｄ１に沿った間隔が、当該第１光学機能面１１上の位置がパネル部材の法線方向ｎｄに沿ってレンズ面２１から離間するにつれて、段階的又は連続的に狭くなっていく。したがって、第１光学機能面１１の一端部１１ａと第２光学機能面１２の他端部１２ｂとが最も接近する。図示された実施の形態では、第１光学機能面１１の一端部１１ａと第２光学機能面１２の他端部１２ｂとが繋がっている。もっとも、第１光学機能面１１の一端部１１ａと第２光学機能面１２の他端部１２ｂとは、互いに離間していてもよい。
【０１３６】
また、図１４に示すように、繋がった第１光学機能面１１の一端部１１ａと第２光学機能面１２の他端部１２ｂとの接続領域が、パネル部材の主切断面において、パネル部材の法線方向ｎｄに進む平行光束Ｌ２２１がレンズ面２１に入射した際におけるレンズ面２１の焦点位置ｆｐ上に位置している。すなわち、繋がった第１光学機能面１１の一端部１１ａと第２光学機能面１２の他端部１２ｂとの接続領域は、レンズ面２１の光軸ｏｄ上に位置している。
【０１３７】
また、図１４に示すように、第１光学機能面１１の他端部１１ｂは、第１軸方向ｄ１における他側で当該第１光学機能面１１と隣り合う第２光学機能面１２の一端部１２ａと繋がっている。繋がった第１光学機能面１１の他端部１１ｂと第２光学機能面１２の一端部１２ａとの接続領域は、隣り合う二つのレンズ面２１の基端部２２ｂ間を接続する接続面２３から、パネル部材の法線方向ｎｄに沿って離間した位置に位置している。もっとも、第１光学機能面１１の他端部１１ｂは、第１軸方向ｄ１における他側で当該第１光学機能面１１と隣り合う第２光学機能面１２の一端部１２ａから、離間していてもよい。
【０１３８】
なお、図１４に示すパネル部材１０において、第１部分３０のレンズ面２１を形成した面３０ｂとは反対側の面３０ａに、パネル部材１０のパネル面に対して傾斜した傾斜面３１が形成されている。傾斜面３１の構成は、上述した第１の実施の形態と略同様なためここでは詳細な説明を省略する。
【０１３９】
次に、主として、図１５及び図１６を参照しながら、本実施の形態のパネル部材１０の作用について説明する。パネル部材１０は、例えば、レンズ面２１の配列方向である第１軸方向ｄ１が鉛直方向に沿うようにして、配置される。本実施の形態では、第１光学機能面１１が、太陽電池パネル５０の入光面５０ａをなし、第２光学機能面１２は、表示対象１３を表示するための表示面となっている。
【０１４０】
図１５によく示されているように、傾斜した第２光学機能面１２は、当該第２光学機能面１２の正面方向から向かってくる光Ｌ２４２、Ｌ２４３、Ｌ２４４を効率的に受光することが可能となる。図１５に示す例では、第２光学機能面１２がレンズ面２１の光軸ｏｄに対して第１軸方向ｄ１における一側に傾斜しているため、当該光軸ｏｄに対して第１軸方向ｄ１における他側に傾斜した方向からレンズ面２１に入射する光Ｌ２４２，Ｌ２４３，Ｌ２４４を効率的に受光することが可能となる。本実施の形態によれば、図１５に示すように、光軸ｏｄに対して第１軸方向ｄ１における他側に大きく傾斜した方向からレンズ面２１に入射する光Ｌ２４４も、入射したレンズ面２１に対向する第２光学機能面１２にて受光されるようになる。図１５に点線で示すように、この光Ｌ２４４は、仮に第１光学機能面１１と第２光学機能面１２とがパネル部材１０の裏面１０ｂと同一面上に交互に並べられていた場合、入射したレンズ面２１とは異なるレンズ面に対面する領域に進み、従来技術で説明した不具合を生じさせる。
【０１４１】
すなわち、第２光学機能面１２をパネル部材１０のパネル面に対して傾斜させることにより、第２光学機能面１２に導かれるようになるパネル部材１０への入射方向の角度範囲である第２角度範囲ＡＲ２、言い換えると、第２光学機能面１２からの光の出射方向の角度範囲である第２角度範囲ＡＲ２を、図１７に示された従来例と比較して、高い自由度で調整することができる。とりわけ、第２光学機能面１２は、パネル部材１０の裏面１０ｂよりもレンズ面２１に接近した第２部分４０内でパネル部材１０のパネル面に対して傾斜している。これにより、第１光学機能面１１と第２光学機能面１２とがパネル部材１０の裏面１０ｂと同一面上に交互に並べられた図１７に示す従来のパネル部材よりも、光軸ｏｄに対して傾斜した、第２光学機能面１２の正面方向から向かってくる光Ｌ２４２，Ｌ２４３，Ｌ２４４を第２光学機能面１２にて有効に受光することが可能となる。この結果、第２光学機能面１２は、図１７に示された従来例よりも、光軸ｏｄに対して傾斜した広範な方向から向かってくる光Ｌ２４２，Ｌ２４３，Ｌ２４４を受光することが可能となり、第２角度範囲ＡＲ２を広角化させることができる。
【０１４２】
以上のことから、広い第２角度範囲ＡＲ２内で、第２光学機能面１２からの光学機能が発揮されるようになる。本実施の形態によるパネル部材１０では、広い視野角から安定して第２光学機能面１２に付与された表示対象１３を観察することができる。したがって、観察者は、優れた視認性で表示対象１３を観察することができ、且つ、優れた意匠性で表示対象１３を表示することができる。
【０１４３】
一方、第２光学機能面１２とは異なる角度で傾斜した第１光学機能面１１は、第２光学機能面１２に入射する光とは異なる方向から入射する光Ｌ２５２，Ｌ２５３，Ｌ２５４を効率的に受光することが可能となる。図１６によく示されているように、第１光学機能面１１は、当該第１光学機能面１１の正面方向から向かってくる光Ｌ２５２，Ｌ２５３，Ｌ２５４を効率的に受光することができる。図１６に示す例では、第１光学機能面１１がレンズ面２１の光軸ｏｄに対して第１軸方向ｄ１における他側に傾斜しているため、当該光軸ｏｄに対して第１軸方向ｄ１における一側に傾斜した方向からレンズ面２１に入射する光Ｌ２５２，Ｌ２５３，Ｌ２５４、を効率的に受光することが可能となる。本実施の形態によれば、図１６に示すように、光軸ｏｄに対して第１軸方向ｄ１における一側に大きく傾斜した方向からレンズ面２１に入射する光Ｌ２５４も、入射したレンズ面２１に対向する第１光学機能面１１にて受光されるようになる。図１６に点線で示すように、この光Ｌ２５４は、仮に第１光学機能面１１と第２光学機能面１２とがパネル部材１０の裏面１０ｂと同一面上に交互に並べられていた場合、入射したレンズ面２１とは異なるレンズ面に対面する領域に進み、従来技術で説明した不具合を生じさせる。
【０１４４】
すなわち、第１光学機能面１１を第２光学機能面１２とは異なる角度でパネル部材１０のパネル面に対して傾斜させることにより、第１光学機能面１１に導かれるようになるパネル部材１０への入射方向の角度範囲である第１角度範囲ＡＲ１、言い換えると、第１光学機能面１１からの光の出射方向の角度範囲である第１角度範囲ＡＲ１を、図１７に示された従来例と比較して、高い自由度で調整することができる。とりわけ、第１光学機能面１１は、パネル部材１０の裏面１０ｂよりもレンズ面２１に接近した第２部分４０内でパネル部材１０のパネル面に対して傾斜している。これにより、第１光学機能面１１と第２光学機能面１２とがパネル部材１０の裏面１０ｂと同一面上に交互に並べられた図１７に示す従来のパネル部材よりも、光軸ｏｄに対して傾斜した、第１光学機能面１１の正面方向から向かってくる光Ｌ２５２，Ｌ２５３，Ｌ２５４を第１光学機能面１１にて有効に受光することが可能となる。この結果、第１光学機能面１１は、図１７に示された従来例よりも、光軸ｏｄに対して傾斜した広範な方向から向かってくる光Ｌ２５２，Ｌ２５３，Ｌ２５４を受光することが可能となり、第１角度範囲ＡＲ１を広角化させることができる。
【０１４５】
以上のことから、広い第１角度範囲ＡＲ１内で、第１光学機能面１１からの光学機能が発揮されるようになる。本実施の形態によるパネル部材１０では、時間帯や季節に応じて入射方向を変化させる太陽光を、効率的に受光して、太陽電池パネル５０での発電に利用することが可能となる。
【０１４６】
以上のように、本実施の形態によれば、第１部分３０と、第１部分３０に積層され、第１部分３０との間に第１軸方向ｄ１に並べられた複数のレンズ面２１を形成する第２部分４０と、第２部分４０内で第１軸方向ｄ１に配列された複数の第１光学機能面１１と、第２部分４０内で第１軸方向ｄ１に配列された複数の第２光学機能面１２と、を備え、第１光学機能面１１は、パネル部材１０のパネル面に対して傾斜し、第２光学機能面１２は、パネル部材１０のパネル面に対して第１光学機能面１１とは異なる角度で傾斜し、レンズ面２１は、或る方向から入射した光Ｌ２２２、Ｌ２５２〜Ｌ２５４を第１光学機能面１１に導き、前記或る方向とは異なる別の方向から入射した光Ｌ２２３、Ｌ２４２〜Ｌ２４４を第２光学機能面１２に導く。このようなパネル部材１０によれば、第１光学機能面１１及び第２光学機能面１２がパネル部材１０のパネル面に対して傾斜しているため、傾斜した各光学機能面１１、１２が、各々の正面方向から入射する光を有効に受光し易くなる。とりわけ、第２光学機能面１２は、第１光学機能面１１と異なる角度でパネル部材１０のパネル面に対して傾斜している。このため、第２光学機能面１２は、第１光学機能面１１に受光され易い光Ｌ２２２、Ｌ２５２〜Ｌ２５４とは異なる方向からレンズ面２１に入射する光Ｌ２２３、Ｌ２４２〜Ｌ２４４を有効に受光し、第１光学機能面１１は、第２光学機能面１２に受光され易い光Ｌ２２３、Ｌ２４２〜Ｌ２４４とは異なる方向からレンズ面２１に入射する光Ｌ２２２、Ｌ２５２〜Ｌ２５４を有効に受光する。そして、レンズ面２１は、レンズ面の集光作用によって、広範囲な第２角度範囲ＡＲ２内の方向から当該レンズ面２１に入射した光Ｌ２２３、Ｌ２４２〜Ｌ２４４を、第２光学機能面１２に集め、広範囲な第１角度範囲ＡＲ１内の方向から当該レンズ面２１に入射した光Ｌ２２２、Ｌ２５２〜Ｌ２５４を、第１光学機能面１１に集める。このように、第２光学機能面１２を第２部分４０内で第１光学機能面１１とは異なる角度でパネル部材１０のパネル面に対して傾斜させることにより、第１光学機能面１１での光学機能が発揮される方向の角度範囲である第１角度範囲ＡＲ１および第２光学機能面１２での光学機能が発揮される方向の角度範囲である第２角度範囲ＡＲ２を、高い自由度で調整することが可能となる。また、第１角度範囲ＡＲ１及び第２角度範囲ＡＲ２を効果的に広角化させることも可能となる。さらに、第１角度範囲ＡＲ１及び第２角度範囲ＡＲ２の調整又は広角化は、一般的に高価となる高屈折率材料を第１部分３０及び第２部分４０に用いることを必要とせず、従来と同様の材料を使用すればよい。すなわち、材料面からのコスト上昇を来すことなく、第１角度範囲ＡＲ１及び第２角度範囲ＡＲ２の調整又は広角化を行うことができる。
【０１４７】
ところで、第２光学機能面１２に形成された表示対象１３を観察している際に、表示対象１３とともに第１光学機能面１１に重ねられた太陽電池パネル５０が観察されると、表示対象１３の視認性や意匠性を著しく害することになる。したがって、表示対象１３が形成された第２光学機能面１２が観察され得る第２角度範囲ＡＲ２は、太陽電池パネル５０が観察されるようになる第１角度範囲ＡＲ１と区分けされていること、すなわち重なり合っていないことが好ましい。
【０１４８】
そこで、本実施の形態のパネル部材１０では、図１４に示すように、各第２光学機能面１２は、対応する第１光学機能面１１よりも、第１軸方向ｄ１における一側に配置されている。そして、各第１光学機能面１１は、第１軸方向ｄ１において他側に位置する他端部１１ｂが、第１軸方向ｄ１において一側に位置する一端部１１ａよりも、パネル部材の法線方向ｎｄにおいてレンズ面２１に近接するように、パネル部材１０のパネル面に対して傾斜し、各第２光学機能面１２は、第１軸方向ｄ１において一側に位置する一端部１２ａが、第１軸方向ｄ１において他側に位置する他端部１２ｂよりも、パネル部材の法線方向ｎｄにおいてレンズ面２１に近接するように、パネル部材１０のパネル面に対して傾斜している。このような本実施の形態によれば、パネル部材の法線方向ｎｄに対して第１軸方向ｄ１における他側に傾斜した方向からレンズ面２１へ入射する光Ｌ２２３、言い換えると第１軸方向ｄ１において一側に進みながらレンズ面２１へ入射する光Ｌ２２３を、第１光学機能面１１よりも第２光学機能面１２に選択的に導くことができる。言い換えると、第２光学機能面１２からの光Ｌ２２３は、パネル部材の法線方向ｎｄに対して第１軸方向ｄ１における他側に傾斜した方向へ出射しやすくなる。また、パネル部材の法線方向ｎｄに対して第１軸方向ｄ１における一側に傾斜した方向からレンズ面２１へ入射する光Ｌ２２２、言い換えると第１軸方向ｄ１において他側に進みながらレンズ面２１へ入射する光Ｌ２２２を、第２光学機能面１２よりも第１光学機能面１１に選択に導くことができる。言い換えると、第１光学機能面１１からの光Ｌ２２２は、パネル部材の法線方向ｎｄに対して第１軸方向ｄ１における一側に傾斜した方向へ出射しやすくなる。
【０１４９】
つまり、このような形態によれば、第１光学機能面１１に導かれるようになるパネル部材１０への入射方向の角度範囲である第１角度範囲ＡＲ１が、パネル部材の法線方向ｎｄに対して第１軸方向ｄ１における一側に傾斜した方向に対応し、第２光学機能面１２に導かれるようになるパネル部材１０への入射方向の角度範囲である第２角度範囲ＡＲ２が、パネル部材の法線方向ｎｄに対して第１軸方向ｄ１における他側に傾斜した方向に対応する。このため、第１角度範囲ＡＲ１と第２角度範囲ＡＲ２とが、区分けされやすくなる。言い換えると、第１角度範囲ＡＲ１と第２角度範囲ＡＲ２とが、重なり合いにくくなる。これにより、第１角度範囲ＡＲ１及び第２角度範囲ＡＲ２をそれぞれ有効に広角化させることができる。
【０１５０】
このように第１角度範囲ＡＲ１と第２角度範囲ＡＲ２との重なり合いが少なくなれば、さらには第１角度範囲ＡＲ１と第２角度範囲ＡＲ２とを切り分けることが可能となれば、第１光学機能面１１での光学機能および第２光学機能面１２での光学機能が、互いに悪影響を及ぼすことなく、より有効に発揮されるようになる。本実施の形態においては、第２光学機能面１２に付与された表示対象１３を観察している際に、表示対象１３とともに第１光学機能面１１に重ねられた太陽電池パネル５０が観察されることを効果的に防止することが可能となる。この場合、表示対象１３の視認性や表示対象１３の意匠性を改善することができる。
【０１５１】
また、本実施の形態によれば、第１光学機能面１１の他端部１１ｂと、第２光学機能面１２の一端部１２ａと、の間の間隔は、第１光学機能面１１の一端部１１ａと、第２光学機能面１２の他端部１２ｂと、の間の間隔よりも、広くなっている。このような形態によれば、第１光学機能面１１と第２光学機能面１２とをバランスよく配置することができ、第１角度範囲ＡＲ１と第２角度範囲ＡＲ２とを、区分けすることに寄与する。
【０１５２】
また、本実施の形態によれば、第１光学機能面１１上の各位置と、対応する第２光学機能面１２との第１軸方向ｄ１に沿った間隔が、当該第１光学機能面１１上の位置がパネル部材１０の法線方向ｎｄに沿ってレンズ面２１から離間するにつれて、狭くなっていく。このような形態によれば、第１光学機能面１１が、第２光学機能面１２へ入射すべき光を遮ってしまうこと、あるいは、第２光学機能面１２が、第１光学機能面１１へ入射すべき光を遮ってしまうこと、を効果的に抑制することができる。このため、第１光学機能面１１が、第１角度範囲ＡＲ１からパネル部材１０へ入射する光に対して、或いは、第１角度範囲ＡＲ１へ向けてパネル部材１０から出射する光に対して、より確実に光学機能を発揮することができる。また、第２光学機能面１２が、第２角度範囲ＡＲ２からパネル部材１０へ入射する光に対して、或いは、第２角度範囲ＡＲ２へ向けてパネル部材１０から出射する光に対して、より確実に光学機能を発揮することができる。
【０１５３】
また、本実施の形態によれば、第１光学機能面１１の第１軸方向ｄ１において一側に位置する一端部１１ａは、第２光学機能面１２の第１軸方向ｄ１において他側に位置する他端部１２ｂと繋がっている。このような形態によれば、第１光学機能面１１の一端部１１ａと第２光学機能面１２の他端部１２ｂとの間を、レンズ面２１で曲げられた光が透過することを防止し、当該光を第１光学機能面１１または第２光学機能面１２に入射させることができる。この結果、パネル部材１０に入射する光を効率よく利用することができる。
【０１５４】
また、本実施の形態によれば、第１光学機能面１１の第１軸方向ｄ１において他側に位置する他端部１１ｂは、第１軸方向ｄ１における他側で当該第１光学機能面１１と隣り合う第２光学機能面１２の、第１軸方向ｄ１において一側に位置する一端部１２ａと繋がっている。このような形態によれば、第１光学機能面１１の他端部１１ｂと、隣り合う第２光学機能面１２の一端部１２ａと、の間を、パネル部材１０に入射した光が透過することを防止し、当該光を第１光学機能面１１または第２光学機能面１２に入射させることができる。この結果、パネル部材１０に入射する光を効率よく利用することができる。
【０１５５】
また、本実施の形態によれば、第１部分３０と第２部分４０との間に第１軸方向ｄ１に並べられた複数のレンズ面２１が形成されている。このような形態によれば、レンズ面２１がパネル部材１０の表面１０ａに形成されるのではなく、第１部分３０と第２部分４０との間に形成されることから、隣り合うレンズ面２１の間の領域に異物が堆積することを防止することができる。また、レンズ面２１がパネル部材１０の表面１０ａに形成されるのではなく、第１部分３０と第２部分４０との間に形成されることから、レンズ面２１をキズや摩耗から保護することができる。とりわけ、本実施の形態のパネル部材１０は、屋外看板、道路情報掲示板、建築物の外壁面のような屋外での使用も想定される。このような異物の堆積しやすい用途において、本実施の形態のパネル部材１０は、効果的に適用され得る。
【０１５６】
また、本実施の形態によれば、第１部分３０のレンズ面２１を形成した面３０ｂとは反対側の面３０ａに、パネル部材１０のパネル面に対して傾斜した傾斜面３１が形成されている。傾斜面３１によれば、傾斜面３１の正面方向から入射する光の入射角度を小さくすることができるため、傾斜面３１の正面方向から入射する光Ｌ２２２、Ｌ２５２〜Ｌ２５４の第１部分３０での反射損失を低減することができる。
【０１５７】
また、本実施の形態によれば、傾斜面３１は、パネル部材１０のパネル面に対して第２光学機能面１２とは反対側に傾斜している。このような形態によれば、傾斜した傾斜面３１は、第２光学機能面１２に対してなす角度が小さい方向からパネル部材１０に入射する光Ｌ２２２、Ｌ２５２〜Ｌ２５４の入射角度を小さくさせて当該光の反射損失を低減することが可能となる。また、上述のように、第２光学機能面１２に対してなす角度がより小さい方向からパネル部材１０に入射する光Ｌ２２２、Ｌ２５２〜Ｌ２５４ほど、第２光学機能面１２に受光され難くなる一方で第１光学機能面１１に受光され易くなる。このため、傾斜面３１にて反射損失を低減された光Ｌ２２２、Ｌ２５２〜Ｌ２５４は、主として第１光学機能面１１に入射する。したがって、傾斜面３１が、パネル部材１０のパネル面に対して第２光学機能面１２とは反対側に傾斜することにより、主として第１光学機能面１１に入射する光Ｌ２２２、Ｌ２５２〜Ｌ２５４の反射損失を低減することが可能となる。
【０１５８】
なお、以上において上述した実施の形態に対するいくつかの変形例を説明してきたが、当然に、複数の変形例を適宜組み合わせて適用することも可能である。
【符号の説明】
【０１５９】
１０    パネル部材
１０ａ  表面
１０ｂ  裏面
１１    第１光学機能面
１１ａ  一端部
１１ｂ  他端部
１２    第２光学機能面
１２ａ  一端部
１２ｂ  他端部
１３    表示対象
２０    光制御シート
２１    レンズ面
２２ａ  先端部
２２ｂ  基端部
３０    第１部分
３０ａ  第１面
３０ｂ  第２面
３１    傾斜面
３２    接続面
４０    第２部分
４５    本体部
４６    切込部
５０    太陽電池パネル
５０ａ  入光面
６０    低屈折率部
６１    入光面
６２    接続面
６３    出光面
【図１】
2015197455.tif 000004
【図２】
2015197455.tif 000005
【図３】
2015197455.tif 000006
【図４】
2015197455.tif 000007
【図５】
2015197455.tif 000008
【図６】
2015197455.tif 000009
【図７】
2015197455.tif 000010
【図８】
2015197455.tif 000011
【図９】
2015197455.tif 000012
【図１０】
2015197455.tif 000013
【図１１】
2015197455.tif 000014
【図１２】
2015197455.tif 000015
【図１３】
2015197455.tif 000016
【図１４】
2015197455.tif 000017
【図１５】
2015197455.tif 000018
【図１６】
2015197455.tif 000019
【図１７】
2015197455.tif 000020